(57)【特許請求の範囲】
【請求項１】
表表紙部と、裏表紙部と、前記表表紙部と前記裏表紙部との間に連設された背表紙部とを有する表紙体と、
綴じシートを多数重ね合わせられた綴じ体と、
綴じ体たるポケットシート群の連結端縁において溶着又は固着されて表紙体に連結された綴じ体たるポケットシート群の端縁を、表紙を開いたときに綴じシートたるポケットシートがのびる背表紙の内側より離れる側に向けて湾曲させる湾曲保持部と、
背表紙と、表表紙部の折り曲げ部と背表紙部との間の表表紙側領域及び裏表紙部の折り曲げ部と背表紙部との間の裏表紙側領域とにより、適宜な形状に背を固める湾曲補助部とを備え、
綴じ体は、背表紙部の内側より離れる方向に向けて弓状に湾曲してのびるように、湾曲保持部に連設され、
湾曲保持部は、背表紙部の背幅より短い幅において綴じ体の連設された端縁を湾曲可能にするように、その外側において、表表紙部側の折り曲げ部の近傍及び裏表紙部側の折り曲げ部の近傍であって湾曲補助部の内側において接続された、ファイル。
【請求項２】
湾曲保持部は、綴じシートを表表紙部と裏表紙部との間において連結された表紙体により構成され、
表紙体は、表表紙側と裏表紙側においてヒンジ部を形成され、
綴じ体は、綴じシートを多数重ね合わせ、表紙に連結される端縁において、表表紙側のヒンジ部と裏表紙側のヒンジ部との間において連結され、
前記綴じ体は、表紙体を開いたときに、表紙体に連結された綴じ体たるポケットシート群の端縁を背表紙の内側より離れる側に向けて湾曲するように形成され、
前記湾曲補助部は、背表紙部の背幅より短い幅において表紙に連結される綴じ体の端縁を湾曲可能にするように、幅方向において綴じ体より適宜な間隔をおいて、前記表表紙部のヒンジ部と前記裏表紙部のヒンジ部との外側において、表側の折り曲げ部の近傍及び裏側の折り曲げ部の近傍で湾曲保持部と接続された、請求項１に記載のファイル。
【請求項３】
前記湾曲保持部は、表表紙部に連設される表表紙側ヒンジ部と、裏表紙部に連設される裏表紙側ヒンジ部と、前記表表紙側ヒンジ部と裏表紙側ヒンジ部の間に介在する介在連結部とを含み、
前記介在連結部は、表紙体を開いたときに、綴じ体の重みにより表紙に連結される綴じ体の端縁とともに背表紙の内側より離れる方向に向けて湾曲するように形成された、請求項２に記載のファイル。
【請求項４】
前記湾曲保持部は、表表紙部に連結される表表紙側ヒンジ部と、裏表紙部に連結される裏表紙側ヒンジ部と、前記表表紙側ヒンジ部と裏表紙側ヒンジ部の間に介在する介在連結部とを含み、
前記介在連結部は、表紙体を開いたときに、綴じ体の重みにより表紙に連結される綴じ体の端縁とともに背表紙の内側より離れる方向に向けて湾曲するように形成され、
表表紙側ヒンジ部に続く表表紙側領域と裏表紙側ヒンジ部に続く裏表紙側領域とは、荷重をかけられないときには介在連結部に略直交し、表紙を開くときには、表表紙側のヒンジ部と裏表紙側のヒンジ部とが、背表紙とは反対側に向けて移動し且つ背表紙の幅より狭くなるとともに表表紙側の折り曲げ部及び裏表紙側の折り曲げ部より内側に位置して、
介在連結部と表表紙側領域と裏表紙側領域との間の角度が拡がり、湾曲保持部を構成する素材の弾力性と表表紙側ヒンジ部及び裏表紙側ヒンジ部の近傍のスプリング性とにより介在連結部を綴じシートののびる方向である背表紙の内側より離れる方向に向けて持ち上げるように形成された、請求項１ないし３のいずれかに記載のファイル。
【請求項５】
前記湾曲補助部の折り曲げ部と背表紙部との間の高さは、前記湾曲保持部の表表紙側のヒンジ部と湾曲補助部の内側面との間及び裏表紙側のヒンジ部と湾曲補助部の内側面との間の高さと略同じか又は短く形成され、
表紙体を閉じたとき，表表紙側のヒンジ部と裏表紙側のヒンジ部とは、背表紙部の幅方向における端部近傍に位置し、
表紙体を開いたとき、表表紙側のヒンジ部と裏表紙側のヒンジ部との間の介在連結部は、背表紙部とは反対側に向けて湾曲するように形成されるとともに、表表紙側のヒンジ部と裏表紙側のヒンジ部との間の幅は、背表紙部の幅より短くなるように形成された、請求項２ないし４に記載のファイル。
【請求項６】
湾曲保持部の介在連結部は、合成樹脂板体に熱プレス加工により塑性変形をさせて、その厚みを薄くして柔軟性を付与されてなる、請求項１ないし５のいずれかに記載のファイル。
【請求項７】
綴じ体は、綴じシートを多数重ね合わせ、表紙に連結される端縁において表紙と連結され、
湾曲保持部は、前記綴じ体の連結される端縁と表紙とを連結する連結体により構成され、
表紙体は、表表紙部と、裏表紙部と，前記表表紙部と裏表紙部との間の背表紙部とを有し、表表紙部と裏表紙部に背表紙部と適宜な間隔をおいて形成された折り曲げ部を形成され、且つ綴じシートを前記連結体を介して連結され、折り曲げ部と背表紙部との間及び背表紙部により湾曲補助部を構成され、
前記綴じ体は、表紙体を開いたときに表紙に連結された綴じ体の端縁を綴じシートののびる方向である背表紙の内側より離れる方向に向けて湾曲するように形成され、
前記湾曲保持部は、表紙体の背表紙部の背幅より、短い幅において綴じ体の表紙に連結される端縁を湾曲可能にするように、幅方向において綴じ体より適宜な間隔をおいて、前記表表紙部の折り曲げ部と前記裏表紙部の折り曲げ部との近傍において接続された、請求項１に記載のファイル。
【請求項８】
前記連結体は、表表紙部側に連結される表表紙側連結部と、裏表紙部側に連結される裏表紙側連結部と、前記表表紙側連結部と裏表紙側連結部の間に介在する介在連結部とを含み、
前記介在連結部は、綴じ体の表紙に連結される端縁を連結され、表紙体を開いたときに、表表紙側連結部と裏表紙側連結部とによる張力により綴じ体の表紙に連結される端縁とともに綴じシートののびる方向である背表紙の内側より離れる方向に向けて湾曲するように形成され、
表表紙側連結部と介在連結部との間及び裏表紙側連結部と介在連結部との間にヒンジ部を形成された、請求項７に記載のファイル。
【請求項９】
前記連結体は、表表紙部側に連結される表表紙側連結部と、裏表紙部側に連結される裏表紙側連結部と、前記表表紙側連結部と裏表紙側連結部の間に介在する介在連結部とを含み、
前記介在連結部は、表紙体を開いたときに、綴じ体の重みにより表紙に連結される綴じ体の端縁とともに背表紙の内側より離れる方向に向けて湾曲するように形成され、
表表紙側連結部と介在連結部との間及び裏表紙側連結部と介在連結部との間に、表表紙側ヒンジ部及び裏表紙側ヒンジ部を形成され、
表表紙側ヒンジ部に続く表表紙側連結部と裏表紙側ヒンジ部に続く裏表紙側連結部とは、荷重をかけられないときには介在連結部に略直交し、表紙を開くときには、表表紙側のヒンジ部と裏表紙側のヒンジ部とが、背表紙とは反対側に向けて移動し且つ背表紙の幅より狭くなるとともに表表紙側の折り曲げ部及び裏表紙側の折り曲げ部より内側に位置して、
介在連結部と表表紙側領域と裏表紙側領域との間の角度が拡がり、湾曲保持部を構成する素材の弾力性と表表紙側ヒンジ部及び裏表紙側ヒンジ部の近傍のスプリング性とにより介在連結部を綴じシートののびる方向である背表紙の内側より離れる方向に向けて持ち上げるように形成された、請求項７又は８に記載のファイル。
【請求項１０】
前記表表紙部の折り曲げ部及び前記裏表紙部の折り曲げ部と背表紙部との間の高さは、前記連結体の表表紙側のヒンジ部と表表紙部の内側面との間及び裏表紙側のヒンジ部と裏表紙部の内側面との間の高さと略同じか又は短く形成され、
表紙体を閉じたとき，表表紙側のヒンジ部と裏表紙側のヒンジ部とは、背表紙部の幅方向における端部近傍に位置し、
表紙体を開いたとき、表表紙側のヒンジ部と裏表紙側のヒンジ部との間の介在連結部は、背表紙部とは反対側に向けて湾曲するように形成されるとともに、表表紙側のヒンジ部と裏表紙側のヒンジ部との間の幅は、背表紙部の幅より短くなるように形成された、請求項７ないし９のいずれかに記載のファイル。
【請求項１１】
連結体の介在連結部は、合成樹脂板体に熱プレス加工により塑性変形をさせて、その厚みを薄くして柔軟性を付与されてなる、請求項７ないし１０のいずれかに記載のファイル。
【請求項１２】
綴じシートは、熱可塑性樹脂シートを合わせたポケットを備え、その表紙に連結される端縁において各綴じシートどおしが熱溶着され、綴じシートを開いたときに表紙に連結される端縁が内方に向けて湾曲するように形成された、請求項１ないし１１のいずれかに記載のファイル。
【請求項１３】
前記連結体は、熱可塑性合成樹脂からなる剛体の板体からなり、綴じ体に連結される領域に貫通孔を穿設されて、湾曲するように形成された、請求項１ないし１２のいずれかに記載のファイル。
【発明の詳細な説明】
【技術分野】
【０００１】
この発明は、ファイルに関し、特にたとえば、クリヤーブック、カードアルバムなどの背表紙部の両側に表表紙部と裏表紙部が連設され、表表紙部と裏表紙部との間において透明ポケットが固着されたファイルに関する。
【背景技術】
【０００２】
従来、透明のファイルムでポケットを形成した透明ポケットファイルがある。
それには、ポケットが表紙に溶着固定されたファイルにおいてポケットが見開いた状態でつくられ、それを数枚重ねたものの中央部を、溶解して表紙の背部に溶着することにより、ポケットを綴じたファイルがある。
前記ファイルでは、両端の頁になる程重ねて溶着された構造から頁の見開きが悪くなり、この問題を解決する方法として、ポケット１枚１枚をそれぞれ表紙に融着することにより、中央でも両端でも均一に見開きをよくした構造のファイルがある。
【０００３】
【特許文献１】特願平５−３２２７９号公報
【特許文献２】実願平７−１１４３４号公報
【特許文献３】特願平５−２０５４９０号公報
【発明の開示】
【発明が解決しようとする課題】
【０００４】
従来のポケットファイルは、ポケット１枚１枚をそれぞれ表紙に融着したものであっても、ポケット枚数が増えるに従い、見開いた時、ポケットの厚み、書類の厚みにより見開きが中央にゆくに従ってフラットからどんどんカーブしていき、結果的に見開きが悪くなってしまう。
【０００５】
それゆえに、この発明の主たる目的は、綴じ体を見開くときに綴じシートを平らに広げ易いファイルを提供することである。
【課題を解決するための手段】
【０００６】
この発明の請求項１にかかるファイルは、表表紙部と、裏表紙部と、前記表表紙部と前記裏表紙部との間に連設された背表紙部とを有する表紙体と、綴じシートを多数重ね合わせられた綴じ体と、綴じ体たるポケットシート群の連結端縁において溶着又は固着されて表紙体に連結された綴じ体たるポケットシート群の端縁を、表紙を開いたときに綴じシートたるポケットシートがのびる背表紙の内側より離れる側に向けて湾曲させる湾曲保持部と、背表紙と、表表紙部の折り曲げ部と背表紙部との間の表表紙側領域及び裏表紙部の折り曲げ部と背表紙部との間の裏表紙側領域とにより、適宜な形状に背を固める湾曲補助部とを備え、綴じ体は、背表紙部の内側より離れる方向に向けて弓状に湾曲してのびるように、湾曲保持部に連設され、湾曲保持部は、背表紙部の背幅より短い幅において綴じ体の連設された端縁を湾曲可能にするように、その外側において、表表紙部側の折り曲げ部の近傍及び裏表紙部側の折り曲げ部の近傍であって湾曲補助部の内側において接続された、ファイルである。
この発明の請求項２にかかるファイルは、湾曲保持部は、綴じシートを表表紙部と裏表紙部との間において連結された表紙体により構成され、表紙体は、表表紙側と裏表紙側においてヒンジ部を形成され、綴じ体は、綴じシートを多数重ね合わせ、表紙に連結される端縁において、表表紙側のヒンジ部と裏表紙側のヒンジ部との間において連結され、前記綴じ体は、表紙体を開いたときに、表紙体に連結された綴じ体たるポケットシート群の端縁を背表紙の内側より離れる側に向けて湾曲するように形成され、前記湾曲補助部は、背表紙部の背幅より短い幅において表紙に連結される綴じ体の端縁を湾曲可能にするように、幅方向において綴じ体より適宜な間隔をおいて、前記表表紙部のヒンジ部と前記裏表紙部のヒンジ部との外側において、表側の折り曲げ部の近傍及び裏側の折り曲げ部の近傍で湾曲保持部と接続された、請求項１に記載のファイルである。
この発明の請求項３にかかるファイルは、前記湾曲保持部は、表表紙部に連設される表表紙側ヒンジ部と、裏表紙部に連設される裏表紙側ヒンジ部と、前記表表紙側ヒンジ部と裏表紙側ヒンジ部の間に介在する介在連結部とを含み、前記介在連結部は、表紙体を開いたときに、綴じ体の重みにより表紙に連結される綴じ体の端縁とともに背表紙の内側より離れる方向に向けて湾曲するように形成された、請求項２に記載のファイルである。
この発明の請求項４にかかるファイルは、前記湾曲保持部は、表表紙部に連結される表表紙側ヒンジ部と、裏表紙部に連結される裏表紙側ヒンジ部と、前記表表紙側ヒンジ部と裏表紙側ヒンジ部の間に介在する介在連結部とを含み、前記介在連結部は、表紙体を開いたときに、綴じ体の重みにより表紙に連結される綴じ体の端縁とともに背表紙の内側より離れる方向に向けて湾曲するように形成され、表表紙側ヒンジ部に続く表表紙側領域と裏表紙側ヒンジ部に続く裏表紙側領域とは、荷重をかけられないときには介在連結部に略直交し、表紙を開くときには、表表紙側のヒンジ部と裏表紙側のヒンジ部とが、背表紙とは反対側に向けて移動し且つ背表紙の幅より狭くなるとともに表表紙側の折り曲げ部及び裏表紙側の折り曲げ部より内側に位置して、介在連結部と表表紙側領域と裏表紙側領域との間の角度が拡がり、湾曲保持部を構成する素材の弾力性と表表紙側ヒンジ部及び裏表紙側ヒンジ部の近傍のスプリング性とにより介在連結部を綴じシートののびる方向である背表紙の内側より離れる方向に向けて持ち上げるように形成された、請求項１ないし３のいずれかに記載のファイルである。
この発明の請求項５にかかるファイルは、前記湾曲補助部の折り曲げ部と背表紙部との間の高さは、前記湾曲保持部の表表紙側のヒンジ部と湾曲補助部の内側面との間及び裏表紙側のヒンジ部と湾曲補助部の内側面との間の高さと略同じか又は短く形成され、表紙体を閉じたとき，表表紙側のヒンジ部と裏表紙側のヒンジ部とは、背表紙部の幅方向における端部近傍に位置し、表紙体を開いたとき、表表紙側のヒンジ部と裏表紙側のヒンジ部との間の介在連結部は、背表紙部とは反対側に向けて湾曲するように形成されるとともに、表表紙側のヒンジ部と裏表紙側のヒンジ部との間の幅は、背表紙部の幅より短くなるように形成された、請求項２ないし４に記載のファイルである。
この発明の請求項６にかかるファイルは、湾曲保持部の介在連結部は、合成樹脂板体に熱プレス加工により塑性変形をさせて、その厚みを薄くして柔軟性を付与されてなる、請求項１ないし５のいずれかに記載のファイルである。
この発明の請求項７にかかるファイルは、綴じ体は、綴じシートを多数重ね合わせ、表紙に連結される端縁において表紙と連結され、湾曲保持部は、前記綴じ体の連結される端縁と表紙とを連結する連結体により構成され、表紙体は、表表紙部と、裏表紙部と，前記表表紙部と裏表紙部との間の背表紙部とを有し、表表紙部と裏表紙部に背表紙部と適宜な間隔をおいて形成された折り曲げ部を形成され、且つ綴じシートを前記連結体を介して連結され、折り曲げ部と背表紙部との間及び背表紙部により湾曲補助部を構成され、前記綴じ体は、表紙体を開いたときに表紙に連結された綴じ体の端縁を綴じシートののびる方向である背表紙の内側より離れる方向に向けて湾曲するように形成され、前記湾曲保持部は、表紙体の背表紙部の背幅より、短い幅において綴じ体の表紙に連結される端縁を湾曲可能にするように、幅方向において綴じ体より適宜な間隔をおいて、前記表表紙部の折り曲げ部と前記裏表紙部の折り曲げ部との近傍において接続された、請求項１に記載のファイルである。
この発明の請求項８にかかるファイルは、前記連結体は、表表紙部側に連結される表表紙側連結部と、裏表紙部側に連結される裏表紙側連結部と、前記表表紙側連結部と裏表紙側連結部の間に介在する介在連結部とを含み、前記介在連結部は、綴じ体の表紙に連結される端縁を連結され、表紙体を開いたときに、表表紙側連結部と裏表紙側連結部とによる張力により綴じ体の表紙に連結される端縁とともに綴じシートののびる方向である背表紙の内側より離れる方向に向けて湾曲するように形成され、表表紙側連結部と介在連結部との間及び裏表紙側連結部と介在連結部との間にヒンジ部を形成された、請求項７に記載のファイルである。
この発明の請求項９にかかるファイルは、前記連結体は、表表紙部側に連結される表表紙側連結部と、裏表紙部側に連結される裏表紙側連結部と、前記表表紙側連結部と裏表紙側連結部の間に介在する介在連結部とを含み、前記介在連結部は、表紙体を開いたときに、綴じ体の重みにより表紙に連結される綴じ体の端縁とともに背表紙の内側より離れる方向に向けて湾曲するように形成され、表表紙側連結部と介在連結部との間及び裏表紙側連結部と介在連結部との間に、表表紙側ヒンジ部及び裏表紙側ヒンジ部を形成され、表表紙側ヒンジ部に続く表表紙側連結部と裏表紙側ヒンジ部に続く裏表紙側連結部とは、荷重をかけられないときには介在連結部に略直交し、表紙を開くときには、表表紙側のヒンジ部と裏表紙側のヒンジ部とが、背表紙とは反対側に向けて移動し且つ背表紙の幅より狭くなるとともに表表紙側の折り曲げ部及び裏表紙側の折り曲げ部より内側に位置して、介在連結部と表表紙側領域と裏表紙側領域との間の角度が拡がり、湾曲保持部を構成する素材の弾力性と表表紙側ヒンジ部及び裏表紙側ヒンジ部の近傍のスプリング性とにより介在連結部を綴じシートののびる方向である背表紙の内側より離れる方向に向けて持ち上げるように形成された、請求項７又は８に記載のファイルである。
この発明の請求項１０にかかるファイルは、前記表表紙部の折り曲げ部及び前記裏表紙部の折り曲げ部と背表紙部との間の高さは、前記連結体の表表紙側のヒンジ部と表表紙部の内側面との間及び裏表紙側のヒンジ部と裏表紙部の内側面との間の高さと略同じか又は短く形成され、表紙体を閉じたとき，表表紙側のヒンジ部と裏表紙側のヒンジ部とは、背表紙部の幅方向における端部近傍に位置し、表紙体を開いたとき、表表紙側のヒンジ部と裏表紙側のヒンジ部との間の介在連結部は、背表紙部とは反対側に向けて湾曲するように形成されるとともに、表表紙側のヒンジ部と裏表紙側のヒンジ部との間の幅は、背表紙部の幅より短くなるように形成された、請求項７ないし９のいずれかに記載のファイルである。
この発明の請求項１１にかかるファイルは、連結体の介在連結部は、合成樹脂板体に熱プレス加工により塑性変形をさせて、その厚みを薄くして柔軟性を付与されてなる、請求項７ないし１０のいずれかに記載のファイルである。
この発明の請求項１２にかかるファイルは、綴じシートは、熱可塑性樹脂シートを合わせたポケットを備え、その表紙に連結される端縁において各綴じシートどおしが熱溶着され、綴じシートを開いたときに表紙に連結される端縁が内方に向けて湾曲するように形成された、請求項１ないし１１のいずれかに記載のファイルである。
この発明の請求項１３にかかるファイルは、前記連結体は、熱可塑性合成樹脂からなる剛体の板体からなり、綴じ体に連結される領域に貫通孔を穿設されて、湾曲するように形成された、請求項１ないし１２のいずれかに記載のファイルである。
【発明の効果】
【０００７】
この発明によれば、表表紙部と、裏表紙部と、前記表表紙部と前記裏表紙部との間に連設された背表紙部とを有する表紙体と、綴じシートを多数重ね合わせられた綴じ体と、綴じ体たるポケットシート群の連結端縁において溶着又は固着されて表紙体に連結された綴じ体たるポケットシート群の端縁を、表紙を開いたときに綴じシートたるポケットシートがのびる背表紙の内側より離れる側に向けて湾曲させる湾曲保持部と、背表紙と、表表紙部の折り曲げ部と背表紙部との間の表表紙側領域及び裏表紙部の折り曲げ部と背表紙部との間の裏表紙側領域とにより、適宜な形状に背を固める湾曲補助部とを備え、綴じ体は、背表紙部の内側より離れる方向に向けて弓状に湾曲してのびるように、湾曲保持部に連設され、湾曲保持部は、背表紙部の背幅より短い幅において綴じ体の連設された端縁を湾曲可能にするように、その外側において、表表紙部側の折り曲げ部の近傍及び裏表紙部側の折り曲げ部の近傍であって湾曲補助部の内側において接続されているので、綴じ体を見開くときに綴じシートを平らに広げ易いファイルを提供することができる。
請求項２の発明によれば、湾曲保持部は、綴じシートを表表紙部と裏表紙部との間において連結された表紙体により構成され、表紙体は、表表紙側と裏表紙側においてヒンジ部を形成され、綴じ体は、綴じシートを多数重ね合わせ、表紙に連結される端縁において、表表紙側のヒンジ部と裏表紙側のヒンジ部との間において連結され、前記綴じ体は、表紙体を開いたときに、表紙体に連結された綴じ体たるポケットシート群の端縁を背表紙の内側より離れる側に向けて湾曲するように形成され、前記湾曲補助部は、背表紙部の背幅より短い幅において表紙に連結される綴じ体の端縁を湾曲可能にするように、幅方向において綴じ体より適宜な間隔をおいて、前記表表紙部のヒンジ部と前記裏表紙部のヒンジ部との外側において、表側の折り曲げ部の近傍及び裏側の折り曲げ部の近傍で湾曲保持部と接続されているので、綴じ体を見開くときに綴じシートを平らに広げ易いファイルを提供することができる。
請求項３の発明によれば、前記湾曲保持部は、表表紙部に連設される表表紙側ヒンジ部と、裏表紙部に連設される裏表紙側ヒンジ部と、前記表表紙側ヒンジ部と裏表紙側ヒンジ部の間に介在する介在連結部とを含み、前記介在連結部は、表紙体を開いたときに、綴じ体の重みにより表紙に連結される綴じ体の端縁とともに背表紙の内側より離れる方向に向けて湾曲するように形成されているので、綴じ体の介在連結部に連設された部分が拡がって綴じ体を見開くときに綴じシートを平らに広げ易いファイルを提供することができる。
請求項４の発明によれば、前記湾曲保持部は、表表紙部に連結される表表紙側ヒンジ部と、裏表紙部に連結される裏表紙側ヒンジ部と、前記表表紙側ヒンジ部と裏表紙側ヒンジ部の間に介在する介在連結部とを含み、前記介在連結部は、表紙体を開いたときに、綴じ体の重みにより表紙に連結される綴じ体の端縁とともに背表紙の内側より離れる方向に向けて湾曲するように形成され、表表紙側ヒンジ部に続く表表紙側領域と裏表紙側ヒンジ部に続く裏表紙側領域とは、荷重をかけられないときには介在連結部に略直交し、表紙を開くときには、表表紙側のヒンジ部と裏表紙側のヒンジ部とが、背表紙とは反対側に向けて移動し且つ背表紙の幅より狭くなるとともに表表紙側の折り曲げ部及び裏表紙側の折り曲げ部より内側に位置して、介在連結部と表表紙側領域と裏表紙側領域との間の角度が拡がり、湾曲保持部を構成する素材の弾力性と表表紙側ヒンジ部及び裏表紙側ヒンジ部の近傍のスプリング性とにより介在連結部を綴じシートののびる方向である背表紙の内側より離れる方向に向けて持ち上げるように形成されているので、湾曲保持部を背表紙部とは反対側に向けて湾曲させて綴じ体の湾曲保持部に連設された部分を拡がらせて綴じ体を見開くときに綴じシートを平らに広げ易くなる。
請求項５の発明によれば、前記湾曲補助部の折り曲げ部と背表紙部との間の高さは、前記湾曲保持部の表表紙側のヒンジ部と湾曲補助部の内側面との間及び裏表紙側のヒンジ部と湾曲補助部の内側面との間の高さと略同じか又は短く形成され、表紙体を閉じたとき，表表紙側のヒンジ部と裏表紙側のヒンジ部とは、背表紙部の幅方向における端部近傍に位置し、表紙体を開いたとき、表表紙側のヒンジ部と裏表紙側のヒンジ部との間の介在連結部は、背表紙部とは反対側に向けて湾曲するように形成されるとともに、表表紙側のヒンジ部と裏表紙側のヒンジ部との間の幅は、背表紙部の幅より短くなるように形成されているので、湾曲保持部を背表紙部とは反対側に向けて湾曲させて綴じ体の湾曲保持部に連設された部分を拡がらせて綴じ体を見開くときに綴じシートを平らに広げ易くなる。
請求項６の発明によれば、湾曲保持部の介在連結部は、合成樹脂板体に熱プレス加工により塑性変形をさせて、その厚みを薄くして柔軟性を付与されてなるので、介在連結部の領域を部分的に加工して、容易にその領域を柔軟にして機能させることができる。
請求項７の発明によれば、綴じ体は、綴じシートを多数重ね合わせ、表紙に連結される端縁において表紙と連結され、湾曲保持部は、前記綴じ体の連結される端縁と表紙とを連結する連結体により構成され、表紙体は、表表紙部と、裏表紙部と，前記表表紙部と裏表紙部との間の背表紙部とを有し、表表紙部と裏表紙部に背表紙部と適宜な間隔をおいて形成された折り曲げ部を形成され、且つ綴じシートを前記連結体を介して連結され、折り曲げ部と背表紙部との間及び背表紙部により湾曲補助部を構成され、前記綴じ体は、表紙体を開いたときに表紙に連結された綴じ体の端縁を綴じシートののびる方向である背表紙の内側より離れる方向に向けて湾曲するように形成され、前記湾曲保持部は、表紙体の背表紙部の背幅より、短い幅において綴じ体の表紙に連結される端縁を湾曲可能にするように、幅方向において綴じ体より適宜な間隔をおいて、前記表表紙部の折り曲げ部と前記裏表紙部の折り曲げ部との近傍において接続されているので、湾曲保持部を背表紙部とは反対側に向けて湾曲保持部を湾曲させて綴じ体の湾曲保持部に連設された部分を拡がらせて綴じ体を見開くときに綴じシートを平らに広げ易くすることができる。
請求項８の発明によれば、前記連結体は、表表紙部側に連結される表表紙側連結部と、裏表紙部側に連結される裏表紙側連結部と、前記表表紙側連結部と裏表紙側連結部の間に介在する介在連結部とを含み、前記介在連結部は、綴じ体の表紙に連結される端縁を連結され、表紙体を開いたときに、表表紙側連結部と裏表紙側連結部とによる張力により綴じ体の表紙に連結される端縁とともに綴じシートののびる方向である背表紙の内側より離れる方向に向けて湾曲するように形成され、表表紙側連結部と介在連結部との間及び裏表紙側連結部と介在連結部との間にヒンジ部を形成されているので、綴じ体の介在連結部に連設された部分を拡がらせて綴じ体を見開くときに綴じシートを平らに広げ易くすることができる。
請求項９の発明によれば、前記連結体は、表表紙部側に連結される表表紙側連結部と、裏表紙部側に連結される裏表紙側連結部と、前記表表紙側連結部と裏表紙側連結部の間に介在する介在連結部とを含み、前記介在連結部は、表紙体を開いたときに、綴じ体の重みにより表紙に連結される綴じ体の端縁とともに背表紙の内側より離れる方向に向けて湾曲するように形成され、表表紙側連結部と介在連結部との間及び裏表紙側連結部と介在連結部との間に、表表紙側ヒンジ部及び裏表紙側ヒンジ部を形成され、表表紙側ヒンジ部に続く表表紙側連結部と裏表紙側ヒンジ部に続く裏表紙側連結部とは、荷重をかけられないときには介在連結部に略直交し、表紙を開くときには、表表紙側のヒンジ部と裏表紙側のヒンジ部とが、背表紙とは反対側に向けて移動し且つ背表紙の幅より狭くなるとともに表表紙側の折り曲げ部及び裏表紙側の折り曲げ部より内側に位置して、介在連結部と表表紙側領域と裏表紙側領域との間の角度が拡がり、湾曲保持部を構成する素材の弾力性と表表紙側ヒンジ部及び裏表紙側ヒンジ部の近傍のスプリング性とにより介在連結部を綴じシートののびる方向である背表紙の内側より離れる方向に向けて持ち上げるように形成されているので、介在連結部を背表紙部とは反対側に向けて湾曲させて綴じ体の介在連結部に連設された部分を拡がらせて綴じ体を見開くときに綴じシートを平らに広げ易くすることができる。
請求項１０の発明によれば、前記表表紙部の折り曲げ部及び前記裏表紙部の折り曲げ部と背表紙部との間の高さは、前記連結体の表表紙側のヒンジ部と表表紙部の内側面との間及び裏表紙側のヒンジ部と裏表紙部の内側面との間の高さと略同じか又は短く形成され、表紙体を閉じたとき，表表紙側のヒンジ部と裏表紙側のヒンジ部とは、背表紙部の幅方向における端部近傍に位置し、表紙体を開いたとき、表表紙側のヒンジ部と裏表紙側のヒンジ部との間の介在連結部は、背表紙部とは反対側に向けて湾曲するように形成されるとともに、表表紙側のヒンジ部と裏表紙側のヒンジ部との間の幅は、背表紙部の幅より短くなるように形成されているので、連結体を背表紙部とは反対側に向けて湾曲させて綴じ体の湾曲保持部に連設された部分を拡がらせて、綴じ体を見開くときに綴じシートを平らに広げ易くすることができる。
請求項１１の発明によれば、連結体の介在連結部は、合成樹脂板体に熱プレス加工により塑性変形をさせて、その厚みを薄くして柔軟性を付与されてなるので、介在連結部の領域を部分的に加工して、容易にその領域を柔軟にして機能させることができる。
請求項１２の発明によれば、綴じシートは、熱可塑性樹脂シートを合わせたポケットを備え、その表紙に連結される端縁において各綴じシートどおしが熱溶着され、綴じシートを開いたときに表紙に連結される端縁が内方に向けて湾曲するように形成されているので、湾曲保持部に連設された綴じ体の連設部分を拡がらせて、綴じ体を見開くときに綴じシートを平らに広げ易くすることができる。
請求項１３の発明によれば、前記連結体は、熱可塑性合成樹脂からなる剛体の板体からなり、綴じ体に連結される領域に貫通孔を穿設されて、湾曲するように形成されているので、連結体に連設された綴じ体の連設部分を拡がらせて、綴じ体を見開くときに綴じシートを平らに広げ易くすることができる。
【０００８】
この発明の上述の目的、その他の目的、特徴及び利点は、図を参照して行う以下の発明を実施するための最良の形態の説明からいっそう明らかとなろう。
この明細書及び特許請求の範囲において、ファイルの表紙の高さ、表紙の幅及び背幅は、一般的に用いられている表現を用いているが、念のために、図６６において、表紙の高さをＨ、表紙の幅をＷ、背幅をＴとして示す。
【発明を実施するための最良の形態】
【０００９】
図１は、この発明の一実施の形態であるポケットファイルの斜視図解図であり、図２は、図１図示ポケットファイルの開いた状態における斜視図解図である。図３は、図１図示ポケットファイルの閉じた状態における縦断面図解図である。
ファイル１０は、ポリプロピレン等の合成樹脂シートからなる表表紙部１２と、裏表紙部１４と、前記表表紙部１２と裏表紙部１４との間に連設された背表紙部１６とを有する表紙体と、綴じシートたるポケットシート１８を多数重ね合わせ、背表紙部１６に連結される端縁において連結された綴じ体たるポケットシート群３０を固着し、綴じ体たるポケットシート群３０の連結端縁において溶着されて連結された綴じ体たるポケットシート群３０とを備えている。
【００１０】
ファイル１０は、前記表表紙部１２と裏表紙部１４との間に連設された背表紙部１６の内側において、綴じ体たるポケットシート群３０の端縁を、表紙を開いたときに綴じシートたるポケットシート１８がのびる側に向けて湾曲させる湾曲保持部を備えるとともに、表表紙部１２と裏表紙部１４との間の背表紙部１６の表表紙側領域及び裏表紙側領域により、適宜な形状に表紙体の背を固める湾曲補助部を備える。
【００１１】
表表紙部１２及び裏表紙部１４は、表表紙部１２及び裏表紙部１４の高さ方向において上端から下端に亘って連続する直線状の表連設部２０及び裏連設部２２を介して、ほぼ直角に交差するように、背表紙部１６に連設されている。
【００１２】
前記ポケットシート１８は、背表紙部１６に固着された部位から、表折り曲げ部２４及び裏折り曲げ部２６より上の部位の間において、柔軟に形成されている。
ポケットシート１８は、直線状の外側端縁３２と、直線状の底縁３４と、底縁３４とは反対側の上端縁に形成された開口縁３６とを備え、前記直線状の外側端縁３２とは反対側の内側端縁３８において、背表紙部１６の内表面に連結されている。
【００１３】
前記ポケットシート１８は、書類等の被綴じ物Ｓを収容するためのポケット部４０を備え、ポケット部４０の内部に、前記表折り曲げ部２４及び裏折り曲げ部２６より上の部位より、背表紙部１６に固着された部位から離れる方向にのびる台紙４２を嵌挿されている。
【００１４】
表表紙部１２及び裏表紙部１４は、図３ないし図６に示すように、背表紙部１６との表連設部２０及び裏連設部２２の近傍において、上端から下端に亘って連続した表折り曲げ部２４及び裏折り曲げ部２６が形成され、表表紙部１２における表折り曲げ部２４より背表紙部１６に至る領域及び裏表紙部１４における裏折り曲げ部２６より背表紙部１６に至る領域と、背表紙部１６とによって、把持部２８が形成されている。
把持部２８は、表表紙部１２と裏表紙部１４との間の背表紙部１６の表表紙側領域及び裏表紙側領域により、表折り曲げ部２４を枢軸として、表表紙側連結部５２が上向きに揺動し、且つ裏折り曲げ部２６を枢軸として、裏表紙側連結部５４が上向きに揺動し、表表紙部１２と裏表紙部１４とが略水平となり水平の背表紙部１６と平行になったとき、上向きすなわち背表紙部１６から離れる方向に湾曲保持部たる連結体５０をアーチ状にわん曲させる湾曲補助部を構成する。
【００１５】
そして、表表紙部１２及び裏表紙部１４は、表連設部２０及び裏連設部２２の近傍において、高さ方向においてその上端から下端に亘って、表連設部２０及び裏連設部２２に平行に表折り曲げ部２４及び裏折り曲げ部２６が形成されている。
表折り曲げ部２４及び裏折り曲げ部２６は、表紙の幅方向における幅すなわち背表紙部１６の内側面との間の長さは同一に形成されている（図４図示）。
前記台紙４２は、前記表折り曲げ部２４及び裏折り曲げ部２６の近傍には存在しないように設けられている。
【００１６】
前記把持部２８は、人が手の平に背表紙部１６を置き手の指で把持して、ポケットシート１８を開くことができるように、角張った構成を備えている。
【００１７】
表表紙部１２及び裏表紙部１４は、前記背表紙部１６とは反対側の自由端縁、すなわち表表紙部１２の左側端縁及び裏表紙部１４の右側端縁に、高さ方向における中央において、検索用凹部７０が形成されている。
【００１８】
検索用凹部７０の外側端縁とポケットシート１８の外側端縁３２とは、揃えられている。したがって、表紙を閉じた状態で本ファイル１０を一方の手によって持った状態、特に把持部２８を把持した状態で、もう一方の手を検索用凹部７０に添え、表表紙部１２又は裏表紙部１４とポケットシート１８とをぱらぱらめくることができる。
【００１９】
ファイル１０は、図２０において示すように、検索用凹部７０において、ポケットシート１８の最も外側の外側端縁３２に指を添えて、わずかに表表紙部１２又は裏表紙部１４を撓ませて、上の方にあるポケットシート１８から下の方にあるポケットシート１８に向けて順に巻いて上にあげることができる。
【００２０】
表表紙部１２及び裏表紙部１４は、検索用凹部７０を形成された領域の外に、ポケットシート１８の見開き用端縁、すなわち外側端縁３２より外側に向けて突き出て、ポケットシート１８に形成された見出しｉを覆うための突出部７２を、上下一対形成されている。
【００２１】
前記綴じ体たるポケットシート群３０は、表紙体を開いたときに背表紙部１６に連結されたポケットシート群３０の端縁を背表紙部１６とは反対側に向けて湾曲するように形成されている。
綴じシートたるポケットシート１８は、熱可塑性樹脂シートを合わせたポケットを備え、その表紙に連結される端縁において各ポケットシート１８どおしが熱溶着され、ポケットシート１８を開いたときに背表紙部１６に連結される端縁が内方に向けて湾曲するように形成されている。
【００２２】
前記ポケットシート群３０は、連結される端縁と、表表紙部１２及び裏表紙部１４を連結する連結体５０により、連結される。
前記連結体５０は、熱可塑性合成樹脂からなる剛体の平面視略方形状の板体からなり、綴じ体たるポケットシート群３０の連結端縁において溶着されて連結された綴じ体たるポケットシート群３０の端縁を、表紙を開いたときに綴じシートたるポケットシート１８がのびる側に向けて湾曲させる湾曲保持部を構成する。
【００２３】
前記連結体５０は、表紙体の背表紙部１６の背幅より短い幅において、ポケットシート群３０の表紙に連結される端縁を湾曲可能にするように、幅方向においてポケットシート群３０より適宜な間隔をおいて、前記表表紙部１２の折り曲げ部２４と前記裏表紙部１４の折り曲げ部２６との近傍において接続されている。
前記連結体５０は、表表紙部１２側に連結される表表紙側連結部５２と、裏表紙部１４に連結される裏表紙側連結部５４と、前記表表紙側連結部５２と裏表紙側連結部５４の間に介在する介在連結部５６とを含み、前記介在連結部５６は、ポケットシート群３０の表紙に連結される端縁に連結され、表紙を開いたときに、表表紙側連結部５２と裏表紙側連結部５４とによる張力により、ポケットシート群３０の表紙に連結される端縁とともに背表紙部１６とは反対側に向けて湾曲するように形成されている。
介在連結部５６は、比較的柔軟性に富んでおり、ポケットシート１８を見開き状態にしたときにポケットシート１８の重みにより背表紙部１６とは反対側に向けて湾曲するように形成されている。
【００２４】
前記連結体５０は、綴じ体に連結される領域に貫通孔５８を穿設されて、湾曲するように形成されている。
連結体５０は、平面視長方形状の貫通孔５８を適宜な間隔をあけて複数穿設されて、全体的に弾力性を付与している。この実施の形態においては、上の貫通孔５８ａと下の貫通孔５８ｂと中間の貫通孔５８ｃとの３個の貫通した孔が穿設されている。
この実施の形態においては、介在連結部５６は、上端及び下端において上下一対の架橋部５６ａ及び架橋部５６ｂが表表紙側連結部５２と裏表紙側連結部５４との間に架け渡されるとともに、上の貫通孔５８ａと中間の貫通孔５８ｃとの間に架橋部５６ｃが架け渡され且つ中間の貫通孔５８ｃと下の貫通孔５８ｂとの間に架橋部５６ｄが架け渡されて、ポケットシート群３０との接着領域を形成されている。
更に、上の貫通孔５８ａ、下の貫通孔５８ｂ及び中間の貫通孔５８ｃと表表紙側のヒンジ部６０との間に長手架橋部５６ｅが形成され、且つ上の貫通孔５８ａ、下の貫通孔５８ｂ及び中間の貫通孔５８ｃと裏表紙側のヒンジ部６２との間に長手架橋部５６ｆが形成されている。
【００２５】
連結体５０は、表表紙側連結部５２と介在連結部５６との間及び裏表紙側連結部５４と介在連結部５６との間に、上端から下端に亘って連続したヒンジ部６０とヒンジ部６２を平行に形成されている。
前記表表紙部１２の表折り曲げ部２４及び前記裏表紙部１４の裏折り曲げ部２６と背表紙部１６との間の高さは、前記連結体５０の表表紙側のヒンジ部６０と表表紙部１２の内側面との間及び裏表紙側のヒンジ部６２と裏表紙部１４の内側面との間の高さと略同じか又は短く形成され、表紙を閉じたとき，表表紙側のヒンジ部６０と裏表紙側のヒンジ部６２とは、背表紙部１６の幅方向における端部近傍に位置するように形成されている。
そして、表表紙部１２を開いたとき、表表紙側のヒンジ部６０と裏表紙側のヒンジ部６２との間の介在連結部５６は、背表紙部１６とは反対側に向けて湾曲するように形成されるとともに、表表紙側のヒンジ部６０と裏表紙側のヒンジ部６２との間の幅は、背表紙部１６の幅より短くなるように形成されている。
【００２６】
表紙体を開いたとき、すなわち、表表紙側連結部５２と裏表紙側連結部５４とが水平面状に並置したフラット状態で且つ表表紙部１２と裏表紙部１４とが水平面状に並置したフラット状態のとき、表連設部２０と裏連設部２２との間の幅（Ｔ１）より表表紙側のヒンジ部６０と裏表紙側のヒンジ部６２との間の幅（Ｔ２）の方が狭くなるように、表表紙側のヒンジ部６０は表折り曲げ部２４より内側に位置し、裏表紙側のヒンジ部６２は裏連設部２２より内側に位置するように形成される。
また、表紙体を閉じたとき、すなわち、表表紙部１２と裏表紙部１４とが平行になった状態で且つ表表紙側連結部５２と裏表紙側連結部５４とが平行になったとき、表連設部２０と裏連設部２２との間の幅（Ｔ１）と表表紙側のヒンジ部６０と裏表紙側のヒンジ部６２との間の幅（Ｔ３）は略近い幅であるが、表連設部２０と裏連設部２２の内側面に表表紙側のヒンジ部６０と裏表紙側のヒンジ部６２が固着されているので、表連設部２０と裏連設部２２の厚さ分だけ（Ｔ１）より（Ｔ３）の方が短い。
【００２７】
次に、本発明にかかる図１図示ファイル１０の製法について、図６ないし図１４に基づいて説明する。
まず、原反（ポリプロピレン等の合成樹脂板体）を準備し、それにトムソン加工を施して、表紙となる表紙材８０を抜き、表表紙部１２と裏表紙部１４と背表紙部１６とをあわせた大きさの表紙材８０を形成する（表紙材成形ステップ）。
【００２８】
次に、この表紙材８０における、後に背表紙部１６となる背表紙エリアの表面に背見出し紙Ｚを接着剤で貼着する（背見出し紙貼着ステップ）。
【００２９】
たとえば、図６及び７に示すように、表紙材８０として熱可塑性樹脂のシート材を用いた場合は、表連設部２０及び裏連設部２２と表折り曲げ部２４及び裏折り曲げ部２６を形成するために、互いに平行な断面略Ｖ字状のＶ字溝２０Ａ、Ｖ字溝２２Ａ、Ｖ字溝２４Ａ、Ｖ字溝２６ＡをＶ字状ヒーター（図示せず）でヒートプレス成形し、表紙材８０を折り曲げ可能に成形する（Ｖ字溝成形ステップ）。
そして、図８に示すように、前記Ｖ字溝２０Ａ、Ｖ字溝２２Ａ、Ｖ字溝２４Ａ、Ｖ字溝２６Ａの溝壁を加熱して、表連設部２０及び裏連設部２２に対応する前記Ｖ字溝２０Ａ、Ｖ字溝２２Ａ、Ｖ字溝２４Ａ、Ｖ字溝２６Ａを折り曲げて、溶融した溝壁どおしを接し合わせ固化することにより、表連設部２０及び裏連設部２２を成形する（連設部形成ステップ）。
而して、表表紙部１２と裏表紙部１４と、前記表表紙部１２と裏表紙部１４との間に背表紙部１６を備え、Ｖ字溝２４Ａからなる表折り曲げ部２４とＶ字溝２６からなる裏折り曲げ部２６とを有し、把持部２８を備えた表紙が形成される。
【００３０】
次に、複数のポケットシート１８を多数枚重ね合せ、その重なった内側端縁３８の端面どおしを、加熱して内側端縁３８よりわずかに内側に入った領域を溶融させて固着する。ポケットシート１８の内側端縁３８を熱溶着するには、熱板を内側端縁３８に押し当てて、内側端縁３８の近傍を溶着させ、内側端縁３８の端面どおしを接着してポケットシート群３０を形成するが、ホットメルト接着剤により接着するか超音波ホーンにより溶着してもよい。
【００３１】
ポケットシート群３０は、熱可塑性樹脂シートを合わせたポケットを備え、その表紙に連結される端縁において各ポケットシート１８どおしが熱溶着され、ポケットシート１８を開いたときに表紙に連結される端縁が内方に向けて湾曲するように形成されている。
【００３２】
次に、ポケットシート群３０を背表紙部１６に固定する方法について、図９ないし図１３に基づいて説明する。
まず、ポリプロピレン等の熱可塑性合成樹脂板体からなる、平面視略方形状の連結体５０を準備する。
前記連結体５０は、表表紙部１２側に連結される表表紙側連結部５２と、裏表紙部１４に連結される裏表紙側連結部５４と、前記表表紙側連結部５２と裏表紙側連結部５４の間に介在する介在連結部５６とを含む。
前記介在連結部５６は、綴じ体の表紙に連結される端縁を連結され、表紙を開いたときに、表表紙側連結部５２と裏表紙側連結部５４とによる張力により綴じ体たるポケットシート群３０の表紙に連結される端縁とともに背表紙部１６とは反対側に向けて湾曲するように形成されている。
連結体５０は、ポケットシート群３０に連結される領域に貫通孔５８を穿設されて、湾曲するように形成されているが、ポケットシート群３０は、連結体５０の架橋部５６ａ、５６ｂ、５６ｃ及び５６ｄの内側面に接着され、且つ表表紙側のヒンジ部６０及び裏表紙側のヒンジ部６２との間においてはわずかな間隔をあけて、長手架橋部５６ｅ及び５６ｆの内側面に接着されている。
ポケットシート群３０は、介在連結部５６の上面に熱溶着される。
【００３３】
表表紙側連結部５２と介在連結部５６との間及び裏表紙側連結部５４と介在連結部５６との間にヒンジ部６０，６２を形成されている。
前記表表紙部１２の表折り曲げ部２４及び前記裏表紙部１４の裏折り曲げ部２６と背表紙部１６との間の高さは、前記連結体５０の表表紙側のヒンジ部６０と表表紙部１２の内側面との間及び裏表紙側のヒンジ部６２と裏表紙部１４の内側面との間の高さと略同じか又は短く形成され、表紙を閉じたとき，表表紙側のヒンジ部６０と裏表紙側のヒンジ部６２とは、背表紙部１６の幅方向における端部近傍に位置するように構成されている。
表表紙部１２を開いたとき、表表紙側のヒンジ部６０と裏表紙側のヒンジ部６２との間の介在連結部５６は、背表紙部１６とは反対側に向けて湾曲するように形成されるとともに、表表紙側のヒンジ部６０と裏表紙側のヒンジ部６２との間の幅は、背表紙部１６の幅より短くなるように形成されている。
【００３４】
次に、表紙材８０にポケットシート群３０を接着する方法について説明する。
前記連結体５０は、表紙の背表紙部１６の背幅より短い幅において、ポケットシート群３０の表紙に連結される端縁を湾曲可能にするように、幅方向においてポケットシート群３０より適宜な間隔をおいて、前記表表紙部１２の表折り曲げ部２４と前記裏表紙部１４の裏折り曲げ部２６との近傍において接続される。
前記連結体５０は、表表紙部１２側に連結される表表紙側連結部５２と表表紙部１２の内側面とを溶着するとともに、裏表紙部１４に連結される裏表紙側連結部５４と裏表紙部１４の内側面とを溶着して、表表紙部１２と裏表紙部１４の間に架け渡す。
【００３５】
前記実施の形態によれば、前記連結体５０は、表表紙部１２側に連結される表表紙側連結部５２と、裏表紙部１４に連結される裏表紙側連結部５４と、前記表表紙側連結部５２と裏表紙側連結部５４の間に介在する介在連結部５６とを含み、前記介在連結部５６は、綴じ体の表紙に連結される端縁を連結され、表紙体を開いたときに、剛体たる表表紙側連結部５２と剛体たる裏表紙側連結部５４とによる張力により綴じ体の表紙に連結される端縁とともに背表紙部１６とは反対側に向けて湾曲するように形成されている。
表表紙連結部５２と介在連結部５６との間及び裏表紙連結部５４と介在連結部５６との間にヒンジ部を形成されている。
【００３６】
前記表表紙部１２の表折り曲げ部２４及び前記裏表紙部１４の裏折り曲げ部２６と背表紙部１６との間の高さ（Ｗ１）は、前記連結体５０の表表紙側のヒンジ部６０と表表紙部１２の内側面との間及び裏表紙側のヒンジ部６２と裏表紙部１４の内側面との間の高さ（Ｗ２）と略同じに形成されており、背表紙部１６の厚さ分だけ（Ｗ２）の方が（Ｗ１）より短い。
而して、表紙体を閉じたとき，表表紙側のヒンジ部６０と裏表紙側のヒンジ部６２とは、背表紙部１６の幅方向における端部近傍に位置し、表紙体を開いたとき、表表紙側のヒンジ部６０と裏表紙側のヒンジ部６２とは、背表紙部１６とは反対側に向けて湾曲し且つ背表紙部１６の幅より短くなるように、形成されているので、表紙体を開けてポケットシート群３０を見開いたときに、ポケットシート１８をフラットにすることができる。
【００３７】
この発明は、前記実施の形態に限定されることなく、例えば、連結体５０は、図１８及び図１９に示すように、前記表表紙部１２の表折り曲げ部２４及び前記裏表紙部１４の裏折り曲げ部２６と背表紙部１６との間の高さは、前記連結体５０の表表紙側のヒンジ部６０と表表紙部１２の内側面との間及び裏表紙側のヒンジ部６２と裏表紙部１４の内側面との間の高さと比して短くなるように形成してもよい。
このようにすれば、ポケットシート群３０の重みで介在連結部５６の領域が背表紙部１６側に向けて垂れ下がるおそれがあるので、介在連結部５６と背表紙部１６との間の空隙部に発泡体などを充填し、介在連結部５６と背表紙部１６と略々平行に保持できるようにしてもよい。
【００３８】
また、図１６及び図１７に示すように、表表紙側連結部５２及び裏表紙連結部５４は、表折り曲げ部２４及び裏折り曲げ部２６の近傍にヒンジ部を形成し、ポケットシート１８を表表紙部１２側及び裏表紙部１４側に開いたときのポケットシート１８の重みにより、介在連結部５６を背表紙部１６とは反対側に向けて湾曲させて、フラットに開くことができるように構成してもよい。
【００３９】
図２１は、この発明の一実施の形態であるポケットファイルの斜視図解図であり、図２２は、図２１図示ポケットファイルの開いた状態における斜視図解図である。図２３は、図２１図示ポケットファイルの閉じた状態における縦断面図解図である。
ファイル１１０は、ポリプロピレン等の合成樹脂シートからなる表表紙部１１２と、裏表紙部１１４と、前記表表紙部１１２と裏表紙部１１４との間に連設された背表紙部１１６とを有する表紙体と、綴じシートたるポケットシート１１８を多数重ね合わせ、背表紙部１１６に連結される端縁において連結された綴じ体たるポケットシート群１３０を固着し、綴じ体たるポケットシート群１３０の連結端縁において溶着されて連結された綴じ体たるポケットシート群１３０とを備えている。
【００４０】
ファイル１１０は、表表紙部１１２と裏表紙部１１４との間の背表紙部１１６の表表紙側領域及び裏表紙側領域により、適宜な形状に表紙体の背を固める湾曲補助部を備えるとともに、前記表表紙部１１２と裏表紙部１１４との間に連設された背表紙部１１６の内側に綴じ体たるポケットシート群１３０の端縁を、表紙を開いたときに綴じシートたるポケットシート１１８がのびる側に向けて湾曲させる湾曲保持部を備える。
表表紙部１１２及び裏表紙部１１４は、図２３ないし図２６に示すように、表表紙部１１２と裏表紙部１１４との間の背表紙部１１６の表表紙側領域及び裏表紙側領域により、適宜な形状に背を固める湾曲補助部が形成されている。この実施の形態においては、湾曲補助部は、独立した湾曲補助部材１２８として構成されている。
【００４１】
表表紙部１１２及び裏表紙部１１４は、表表紙部１１２及び裏表紙部１１４の高さ方向において上端から下端に亘って連続する直線状の表折り曲げ部１２４及び裏折り曲げ部１２６と直線状の表連設部１２０及び裏連設部１２２とを介して、表紙体を閉じたときに、ほぼ直角に交差するように、背表紙部１１６に連設されている。
【００４２】
前記ポケットシート１１８は、表表紙部１１２と裏表紙部１１４との間において背表紙部１１６の内側に固着された部位から、少なくとも表折り曲げ部１２４及び裏折り曲げ部１２６より上の部位（表紙体を閉じたときにおける）の間において、柔軟に形成されている。
ポケットシート１１８は、直線状の外側端縁１３２と、直線状の底縁１３４と、底縁１３４とは反対側の上端縁に形成された開口縁１３６とを備え、前記直線状の外側端縁１３２とは反対側の内側端縁１３８において、背表紙部１１６の内表面に連結されている。
【００４３】
前記ポケットシート１１８は、書類等の被綴じ物Ｓを収容するためのポケット部１４０を備え、ポケット部１４０の内部に、前記表折り曲げ部１２４及び裏折り曲げ部１２６より上の部位（表紙体を閉じたときにおける）より、背表紙部１１６に固着された部位から離れる方向にのびる台紙１４２を嵌挿されている。
【００４４】
前記ポケットシート群１３０は、その連結される連結端縁において、表表紙部１１２及び裏表紙部１１４に連設された湾曲保持部１５０により連結される。
前記湾曲保持部１５０は、熱可塑性合成樹脂からなる剛体の板体からなり、表紙体を開いたときに、綴じ体たるポケットシート群１３０の連結端縁において溶着されて連結された綴じ体たるポケットシート群１３０の端縁を、綴じシートたるポケットシート１１８がのびる側に向けて、すなわち背表紙部１１６より離れる方向に、湾曲させるように構成する。
【００４５】
前記湾曲保持部１５０は、湾曲補助部材１２８の背表紙部１１６の背幅より短い幅において、ポケットシート群１３０の表紙に連結される端縁を湾曲可能にするように、幅方向においてポケットシート群１３０より適宜な間隔をおいて、表表紙側のヒンジ部１６０の外側近傍と裏表紙側のヒンジ部１６２の外側近傍との間において接続されている。
湾曲保持部１５０は、表表紙部１１２側に連設される表表紙側連結部１５２と、裏表紙部１１４に連設される裏表紙側連結部１５４と、前記表表紙側連結部１５２と裏表紙側連結部１５４との間に介在する介在連結部１５６とを含み、前記介在連結部１５６は、ポケットシート群１３０の表紙に連結される端縁に連結され、表紙を開いたときに、表表紙側連結部１５２と裏表紙側連結部１５４とによる張力により、ポケットシート群１３０の表紙に連結される端縁とともに背表紙部１１６とは反対側に向けて湾曲するように形成されている。
湾曲保持部１５０は、比較的柔軟性に富んでおり、ポケットシート１１８を見開いたときに、ポケットシート１１８の重みにより背表紙部１１６とは反対側に向けて、アーチ状に湾曲するように形成されている。
【００４６】
表表紙部１１２と表表紙側連結部１５２とは一体化された平板状に形成され、且つ裏表紙部１１４と裏表紙側連結部１５４とは一体化された平板状に形成されている。
【００４７】
前記湾曲保持部１５０は、平面視方形状のポリプロピレン等の熱可塑性合成樹脂板体からなり、綴じ体たるポケットシート群１３０に連結される領域に貫通孔１５８を穿設されて、湾曲するように形成されている。
湾曲保持部１５０は、平面視長方形状の貫通孔１５８を適宜な間隔をあけて複数穿設されて、全体的に弾力性を付与している。この実施の形態においては、上の貫通孔１５８ａと、下の貫通孔１５８ｂと、中間の貫通孔１５８ｃ1、貫通孔１５８ｃ2、貫通孔１５８ｃ3及び貫通孔１５８ｃ4との６個の貫通した孔が穿設されている。
この実施の形態においては、介在連結部１５６は、上端及び下端において上下一対の架橋部１５６ａ及び架橋部１５６ｂが表表紙側連結部１５２と裏表紙側連結部１５４との間に架け渡されるとともに、中間の貫通孔１５８ｃ1と中間の貫通孔１５８ｃ4との間に架橋部１５６ｃ1、架橋部１５６ｃ2、架橋部１５６ｃ3及び架橋部１５６ｃ4が架け渡され且つ中間の貫通孔１５８ｃ4と下の貫通孔１５８ｂとの間に架橋部１５６ｃ5が架け渡されて、ポケットシート群１３０との接着領域を形成されている。
更に、上の貫通孔１５８ａ、下の貫通孔１５８ｂ並びに中間の貫通孔１５８ｃ1、貫通孔１５８ｃ2、貫通孔１５８ｃ3及び貫通孔１５８ｃ4と表表紙側のヒンジ部１６０との間に長手架橋部１５６ｅが形成され、且つ上の貫通孔１５８ａ、下の貫通孔１５８ｂ並びに中間の貫通孔１５８ｃ1、貫通孔１５８ｃ2、貫通孔１５８ｃ3及び貫通孔１５８ｃ4と裏表紙側のヒンジ部１６２との間に長手架橋部１５６ｆが形成されている。
長手架橋部１５６ｅ及び長手架橋部１５６ｆは、表紙体の上端から下端に亘って連続して形成されている。
【００４８】
湾曲保持部１５０は、表表紙側連結部１５２と介在連結部１５６との間及び裏表紙側連結部１５４と介在連結部１５６との間に、上端から下端に亘ってヒンジ部１６０とヒンジ部１６２とを平行に形成されている。
前記表表紙部１１２の表折り曲げ部１２４及び前記裏表紙部１１４の裏折り曲げ部１２６と背表紙部１１６との間の高さは、前記湾曲保持部１５０の表表紙側のヒンジ部１６０と表表紙部１１２の内側面との間及び裏表紙側のヒンジ部１６２と裏表紙部１１４の内側面との間の高さと略同じか又は短く形成され、表紙体を閉じたとき，表表紙側のヒンジ部１６０と裏表紙側のヒンジ部１６２とは、背表紙部１１６の幅方向における端部近傍に位置するように形成されている。
そして、表表紙部１１２を開くとき、表表紙側のヒンジ部１６０と裏表紙側のヒンジ部１６２との間の介在連結部１５６は、背表紙部１１６とは反対側に向けて湾曲し、且つ表表紙側のヒンジ部１６０と裏表紙側のヒンジ部１６２との間は、背表紙部１１６の幅より短くなるように、形成されている。
【００４９】
表表紙部１１２及び裏表紙部１１４は、図２３ないし図２６に示すように、表表紙部１１２と裏表紙部１１４との間の背表紙部１１６の表表紙側領域及び裏表紙側領域により、適宜な形状に背を固める湾曲補助部が形成されている。この実施の形態においては、湾曲補助部は、独立した湾曲補助部材１２８として構成されている。
湾曲補助部材１２８は、平面視方形状のポリプロピレン等の熱可塑性合成樹脂板体からなり、上端から下端に亘って連続した表折り曲げ部１２４及び裏折り曲げ部１２６が形成され、表表紙部１１２側における表折り曲げ部１２４より背表紙部１１６に至る領域及び裏表紙部１１４側における裏折り曲げ部１２６より背表紙部１１６に至る領域と、背表紙部１１６とによって、湾曲補助部材１２８が形成されている。
湾曲補助部材１２８は、表表紙部１１２と裏表紙部１１４との間に架け渡された背表紙部１１６の表表紙側領域及び裏表紙側領域により、表折り曲げ部１２４を枢軸として、表表紙側連結部１５２が上向きに揺動し、且つ裏折り曲げ部１２６を枢軸として、裏表紙側連結部１５４が上向きに揺動し、表表紙部１１２と裏表紙部１１４とが略水平となり水平の湾曲補助部材１２８の背表紙部１１６と平行になったとき、上向きすなわち表表紙部１１６から離れる方向に湾曲保持部１５０をアーチ状にわん曲させる、湾曲補助部を構成する。
【００５０】
そして、表表紙部１１２及び裏表紙部１１４は、表連設部１２０及び裏連設部１２２の近傍において、高さ方向においてその上端から下端に亘って、表連設部１２０及び裏連設部１２２に平行に表折り曲げ部１２４及び裏折り曲げ部１２６が形成されている。
表折り曲げ部１２４及び裏折り曲げ部１２６は、表紙体の幅方向における幅すなわち背表紙部１１６の内側面との間の長さは同一に形成されている（図２４図示）。
【００５１】
背表紙部１１６の表連設部１２０側に表連設部１２０を介して連設された方形状の保型部１２１が形成され、且つ裏連設部１２２側に裏連設部１２２を介して連設された方形状の保型部１２３が形成されている。
又、保型部１２１の表折り曲げ部１２４側に表折り曲げ部１２４を介して連設された方形状の表表紙側固着部１２５が形成され、且つ裏折り曲げ部１２６側に裏折り曲げ部１２６を介して連設された方形状の裏表紙側固着部１２７が形成されている。
【００５２】
湾曲補助部材１２８は、人が手の平に背表紙部１１６を置き手の指で把持して、ポケットシート１１８を開くことができ易いように、角張った構成を備え、把持部を構成している。
【００５３】
表表紙部１１２及び裏表紙部１１４は、前記背表紙部１１６とは反対側の自由端縁、すなわち表表紙部１１２の左側端縁及び裏表紙部１１４の右側端縁に、高さ方向における中央において、検索用凹部１７０が形成されている。
【００５４】
検索用凹部１７０の外側端縁とポケットシート１１８の外側端縁１３２とは、揃えられている。したがって、表紙を閉じた状態で本ファイル１１０を一方の手によって持った状態、特に湾曲補助部材１２８を把持した状態で、もう一方の手を検索用凹部１７０に添え、表表紙部１１２又は裏表紙部１１４とポケットシート１１８とをぱらぱらめくることができる。
【００５５】
ファイル１１０は、図２０において示すように、検索用凹部１７０において、ポケットシート１１８の最も外側の外側端縁１３２に指を添えて、わずかに表表紙部１１２又は裏表紙部１１４を撓ませて、上の方にあるポケットシート１１８から下の方にあるポケットシート１１８に向けて順に巻いて上にあげることができる。
【００５６】
表表紙部１１２及び裏表紙部１１４は、検索用凹部１７０を形成された領域の外に、ポケットシート１１８の見開き用端縁、すなわち外側端縁１３２より外側に向けて突き出て、ポケットシート１１８に形成された見出しｉを覆うための突出部１７２を、上下一対形成されている。
【００５７】
前記綴じ体たるポケットシート群１３０は、表紙体を開いたときに背表紙部１１６に連結されたポケットシート群１３０の端縁を背表紙部１１６とは反対側に向けて湾曲するように形成されている。
綴じシートたるポケットシート１１８は、熱可塑性樹脂シートを合わせたポケットを備え、その表紙に連結される端縁において各ポケットシート１１８どおしが熱溶着され、ポケットシート１１８を開いたときに背表紙部１１６に連結される端縁が内方に向けて湾曲するように形成されている。
【００５８】
表紙体を開いたとき、すなわち、表表紙側連結部１５２と裏表紙側連結部１５４とが水平面状に並置したフラット状態で且つ表表紙部１１２と裏表紙部１１４とが水平面状に並置したフラット状態のとき、表連設部１２０と裏連設部１２２との間の幅（Ｔ１）より表表紙側のヒンジ部１６０と裏表紙側のヒンジ部１６２との間の幅（Ｔ２）の方が狭くなるように、表表紙側のヒンジ部１６０は表折り曲げ部１２４より内側に位置し、裏表紙側のヒンジ部１６２は裏連設部１２２より内側に位置するように形成される。
また、表紙体を閉じたとき、すなわち、表表紙部１１２と裏表紙部１１４とが平行になった状態で且つ表表紙側連結部１５２と裏表紙側連結部１５４とが平行になったとき、表連設部１２０と裏連設部１２２との間の幅（Ｔ１）と表表紙側のヒンジ部１６０と裏表紙側のヒンジ部１６２との間の幅（Ｔ３）とは略近い幅であるが、表連設部１２０と裏連設部１２２の内側面に表表紙側のヒンジ部１６０と裏表紙側のヒンジ部１６２が固着されているので、表連設部１２０と裏連設部１２２の厚さ分だけ（Ｔ１）より（Ｔ３）の方が短い。
【００５９】
次に、本発明にかかる図２１図示ファイル１１０の製法について、図２７ないし図３２に基づいて説明する。
【００６０】
まず、複数のポケットシート１１８を多数枚重ね合せ、その重なった内側端縁１３８の端面どおしを、加熱して内側端縁１３８よりわずかに内側に入った領域を溶融させて固着する。ポケットシート１１８の内側端縁１３８を熱溶着するには、熱板を内側端縁１３８に押し当てて、内側端縁１３８の近傍を溶着させ、内側端縁１３８の端面どおしを接着してポケットシート群１３０を形成するが、ホットメルト接着剤により接着するか超音波ホーンにより溶着してもよい。
【００６１】
ポケットシート群１３０は、熱可塑性樹脂シートを合わせたポケットを備え、その表紙に連結される端縁において各ポケットシート１１８どおしが熱溶着され、ポケットシート１１８を開いたときに表紙に連結される端縁が内方に向けて湾曲するように形成されている。
【００６２】
次に、ポケットシート群１３０を表紙体の湾曲保持部１５０に固定する方法について、図２９ないし図３４に基づいて説明する。
まず、原反（ポリプロピレン等の熱可塑性合成樹脂板体）を準備し、それにトムソン加工を施して、表紙となる表紙材１８０を抜き、表表紙部１１２と裏表紙部１１４と湾曲保持部１５０とをあわせた大きさの表紙材１８０を形成する（表紙材成形ステップ）。
まず、ポリプロピレン等の熱可塑性合成樹脂板体からなる表紙材１８０から前記湾曲保持部１５０を成形するために、表表紙部１１２側に連結される表表紙側連結部１５２と、裏表紙部１１４に連結される裏表紙側連結部１５４と、前記表表紙側連結部１５２と裏表紙側連結部１５４の間に介在する介在連結部１５６とを区画成形する。
前記介在連結部１５６は、綴じ体の表紙に連結される端縁を連結され、表紙を開いたときに、表表紙側連結部１５２と裏表紙側連結部１５４とによる張力により綴じ体たるポケットシート群１３０の表紙に連結される端縁とともに背表紙部１１６とは反対側に向けて湾曲するように形成されている。
湾曲保持部１５０は、平面視方形状のポリプロピレン等の熱可塑性合成樹脂板体からなり、ポケットシート群１３０に連結される領域に貫通孔１５８を穿設されて、湾曲するように形成されているが、ポケットシート群１３０は、湾曲保持部１５０の架橋部１５６ａ、架橋部１５６ｂ、架橋部１５６ｃ1、架橋部１５６ｃ2、架橋部１５６ｃ3、架橋部１５６ｃ4及び架橋部１５６ｃ5の内側面に接着され、且つ表表紙側のヒンジ部１６０及び裏表紙側のヒンジ部１６２との間においてはわずかな間隔をあけて、長手架橋部１５６ｅ及び１５６ｆの内側面に接着されている。
ポケットシート群１３０は、介在連結部１５６の上面に熱溶着される。
【００６３】
湾曲保持部１５０は、表表紙側連結部１５２と介在連結部１５６との間及び裏表紙側連結部１５４と介在連結部１５６との間にヒンジ部１６０，１６２を形成されている。
前記表表紙部１１２の表折り曲げ部１２４及び前記裏表紙部１１４の裏折り曲げ部１２６と背表紙部１１６との間の高さは、前記湾曲保持部１５０の表表紙側のヒンジ部１６０と表表紙部１１２の内側面との間及び裏表紙側のヒンジ部１６２と裏表紙部１１４の内側面との間の高さと略同じか又は短く形成され、表紙を閉じたとき，表表紙側のヒンジ部１６０と裏表紙側のヒンジ部１６２とは、背表紙部１１６の幅方向における端部近傍に位置するように構成されている。
表表紙部１１２を開いたとき、表表紙側のヒンジ部１６０と裏表紙側のヒンジ部１６２との間の介在連結部１５６は、背表紙部１１６とは反対側に向けて湾曲するように形成されるとともに、表表紙側のヒンジ部１６０と裏表紙側のヒンジ部１６２との間の幅は、背表紙部１１６の幅より短くなるように形成されている。
【００６４】
次に、表紙材１８０にポケットシート群１３０を接着する方法について説明する。
前記湾曲保持部１５０は、表紙の背表紙部１１６の背幅より短い幅において、ポケットシート群１３０の表紙に連結される端縁を湾曲可能にするように、幅方向においてポケットシート群１３０より適宜な間隔をおいて、前記表表紙部１１２の表表紙側のヒンジ部１６０と前記裏表紙部１１４の裏表紙側のヒンジ部１６２との間において接続される。
前記湾曲保持部１５０は、表表紙部１１２側に連結される表表紙側連結部１５２と表表紙部１１２の外側面とを溶着するとともに、裏表紙部１１４に連結される裏表紙側連結部１５４と裏表紙部１１４の外側面とを溶着して、表表紙部１１２と裏表紙部１１４の間に架け渡す。
【００６５】
前記実施の形態によれば、前記湾曲保持部１５０は、表表紙部１１２側に連結される表表紙側連結部１５２と、裏表紙部１１４に連結される裏表紙側連結部１５４と、前記表表紙側連結部１５２と裏表紙側連結部１５４の間に介在する介在連結部１５６とを含み、前記介在連結部１５６は、綴じ体の表紙に連結される端縁を連結され、表紙体を開いたときに、剛体たる表表紙側連結部１５２と剛体たる裏表紙側連結部１５４とによる張力により綴じ体の表紙に連結される端縁とともに背表紙部１１６とは反対側に向けて湾曲するように形成されている。
表表紙連結部１５２と介在連結部１５６との間及び裏表紙連結部１５４と介在連結１部５６との間に表表紙側のヒンジ部１６０及び裏表紙側のヒンジ部１６２を形成されている。
【００６６】
次に、湾曲補助部材１２８を成形するために、熱可塑性樹脂シートを準備し、それにトムソン加工を施して、平面視方形状の湾曲補助部材１２８を打ち抜く。
そして、後に背表紙部１１６となる背表紙エリアの表面に背見出し紙Ｚを接着剤で貼着する（背見出し紙貼着ステップ）。
【００６７】
たとえば、図２６及び２７に示すように、湾曲補助部材１２８として熱可塑性樹脂のシート材を用いた場合は、表連設部１２０及び裏連設部１２２と表折り曲げ部１２４及び裏折り曲げ部１２６を形成するために、互いに平行な断面略Ｖ字状のＶ字溝１２０Ａ、Ｖ字溝１２２Ａ、Ｖ字溝１２４Ａ、Ｖ字溝１２６ＡをＶ字状ヒーター（図示せず）でヒートプレス成形し、表紙材１８０を折り曲げ可能に成形する（Ｖ字溝成形ステップ）。
而して、表表紙部１１２の外表面であって表表紙側のヒンジ部１６０より外側において表連設部１２０の外端縁の近傍を固着するとともに、裏表紙部１１４の外表面であって裏表紙側のヒンジ部１６２より外側において裏連設部１２２の近傍を固着して、架け渡す湾曲補助部材１２８を備えた表紙体が形成される。
【００６８】
前記表表紙部１１２の表折り曲げ部１２４及び前記裏表紙部１１４の裏折り曲げ部１２６と背表紙部１１６との間の高さ（Ｗ１）は、前記湾曲保持部１５０の表表紙側のヒンジ部１６０と表表紙部１１２の内側面との間及び裏表紙側のヒンジ部１６２と裏表紙部１１４の内側面との間の高さ（Ｗ２）と略同じに形成されており、背表紙部１１６の厚さ分だけ（Ｗ２）の方が（Ｗ１）より短い。
而して、表紙体を閉じたとき，表表紙側のヒンジ部１６０と裏表紙側のヒンジ部１６２とは、背表紙部１１６の幅方向における端部近傍に位置し、表紙体を開いたとき、表表紙側のヒンジ部１６０と裏表紙側のヒンジ部１６２とは、背表紙部１１６とは反対側に向けて湾曲し且つ背表紙部１１６の幅より短くなるように、形成されているので、表紙体を開けてポケットシート群１３０を見開いたときに、ポケットシート１１８をフラットにすることができる。
【００６９】
図３５は、この発明の一実施の形態であるポケットファイルの斜視図解図であり、図３６は、図３５図示ポケットファイルの開いた状態における斜視図解図である。図３７は、図３５図示ポケットファイルの閉じた状態における縦断面図解図である。
ファイル３１０は、ポリプロピレン等の合成樹脂シートからなる表表紙部３１２と、裏表紙部３１４と、前記表表紙部３１２と裏表紙部３１４との間に連設された背表紙部３１６とを有する表紙体と、綴じシートたるポケットシート３１８を多数重ね合わせ、背表紙部３１６に連結される端縁において連結された綴じ体たるポケットシート群３３０を固着し、綴じ体たるポケットシート群３３０の連結端縁において溶着されて連結された綴じ体たるポケットシート群３３０とを備えている。
【００７０】
ファイル３１０は、表表紙部３１２と裏表紙部３１４との間の背表紙部３１６の表表紙側領域及び裏表紙側領域により、適宜な形状に表紙体の背を固める湾曲補助部を備えるとともに、前記表表紙部３１２と裏表紙部３１４との間に連設された背表紙部３１６の内側に綴じ体たるポケットシート群３３０の端縁を、表紙を開いたときに綴じシートたるポケットシート３１８がのびる側に向けて湾曲させる湾曲保持部を備える。
【００７１】
表表紙部３１２及び裏表紙部３１４は、表表紙部３１２及び裏表紙部３１４の高さ方向において上端から下端に亘って連続する直線状の表折り曲げ部３２４及び裏折り曲げ部３２６と直線状の表連設部３２０及び裏連設部３２２とを介して、表紙体を閉じたときに、ほぼ直角に交差するように、背表紙部３１６に連設されている。
【００７２】
前記ポケットシート３１８は、表表紙部３１２と裏表紙部３１４との間において背表紙部３１６の内側に固着された部位から、少なくとも表折り曲げ部３２４及び裏折り曲げ部３２６より上の部位（表紙体を閉じたときにおける）の間において、柔軟に形成されている。
ポケットシート３１８は、直線状の外側端縁３３２と、直線状の底縁３３４と、底縁３３４とは反対側の上端縁に形成された開口縁３３６とを備え、前記直線状の外側端縁３３２とは反対側の内側端縁３３８において、背表紙部３１６の内表面に連結されている。
【００７３】
前記ポケットシート３１８は、書類等の被綴じ物Ｓを収容するためのポケット部３４０を備え、ポケット部３４０の内部に、前記表折り曲げ部３２４及び裏折り曲げ部３２６より上の部位（表紙体を閉じたときにおける）より、背表紙部３１６に固着された部位から離れる方向にのびる台紙３４２を嵌挿されている。
【００７４】
前記ポケットシート群３３０は、その連結される連結端縁において、表表紙部３１２及び裏表紙部３１４に連設された湾曲保持部３５０により連結される。
前記湾曲保持部３５０は、熱可塑性合成樹脂からなる剛体の板体からなり、表紙体を開いたときに、綴じ体たるポケットシート群３３０の連結端縁において溶着されて連結された綴じ体たるポケットシート群３３０の端縁を、綴じシートたるポケットシート３１８がのびる側に向けて、すなわち背表紙部３１６より離れる方向に、湾曲させるように構成する。
【００７５】
前記湾曲保持部３５０は、表紙体の背表紙部３１６の背幅より短い幅において、ポケットシート群３３０の表紙に連結される端縁を湾曲可能にするように、幅方向においてポケットシート群３３０より適宜な間隔をおいて、表表紙側のヒンジ部３６０の内側近傍と裏表紙側のヒンジ部３６２の内側近傍との間において接続されている。
湾曲保持部３５０は、表表紙部３１２側に連設される表表紙側連結部３５２と、裏表紙部３１４に連設される裏表紙側連結部３５４と、前記表表紙側連結部３５２と裏表紙側連結部３５４との間に介在する介在連結部３５６とを含み、前記介在連結部３５６は、ポケットシート群３３０の表紙に連結される端縁に連結され、表紙を開いたときに、表表紙側連結部３５２と裏表紙側連結部３５４とによる張力により、ポケットシート群３３０の表紙に連結される端縁とともに背表紙部３１６とは反対側に向けて湾曲するように形成されている。
湾曲保持部３５０は、比較的柔軟性に富んでおり、ポケットシート３１８を見開いたときに、ポケットシート３１８の重みにより背表紙部３１６とは反対側に向けて、アーチ状に湾曲するように形成されている。
【００７６】
表表紙部３１２と表表紙側連結部３５２とは一体化された平板状に形成され、且つ裏表紙部３１４と裏表紙側連結部３５４とは一体化された平板状に形成されている。
【００７７】
前記湾曲保持部３５０は、平面視方形状のポリプロピレン等の熱可塑性合成樹脂板体からなり、綴じ体たるポケットシート群３３０に連結される領域に貫通孔３５８を穿設されて、湾曲するように形成されている。
湾曲保持部３５０は、平面視長方形状の貫通孔３５８を適宜な間隔をあけて複数穿設されて、全体的に弾力性を付与している。この実施の形態においては、上の貫通孔３５８ａと、下の貫通孔３５８ｂと、中間の貫通孔３５８ｃ1、貫通孔３５８ｃ2、貫通孔３５８ｃ3及び貫通孔３５８ｃ4との６個の貫通した孔が穿設されている。
この実施の形態においては、介在連結部３５６は、上端及び下端において上下一対の架橋部３５６ａ及び架橋部３５６ｂが表表紙側連結部３５２と裏表紙側連結部３５４との間に架け渡されるとともに、中間の貫通孔３５８ｃ1と中間の貫通孔３５８ｃ3との間に架橋部３５６ｃ1、架橋部３５６ｃ2及び架橋部３５６ｃ3が架け渡され且つ中間の貫通孔３５８ｃ3と下の貫通孔３５８ｂとの間に架橋部３５６ｃ4が架け渡されて、ポケットシート群３３０との接着領域を形成されている。
更に、上の貫通孔３５８ａ、下の貫通孔３５８ｂ並びに中間の貫通孔３５８ｃ1、貫通孔３５８ｃ2及び貫通孔３５８ｃ3と表表紙側のヒンジ部３６０との間に長手架橋部３５６ｅが形成され、且つ上の貫通孔３５８ａ、下の貫通孔３５８ｂ並びに中間の貫通孔３５８ｃ1、貫通孔３５８ｃ2及び貫通孔３５８ｃ3と裏表紙側のヒンジ部３６２との間に長手架橋部３５６ｆが形成されている。
長手架橋部３５６ｅ及び長手架橋部３５６ｆは、表紙体の上端から下端に亘って連続して形成されている。
【００７８】
湾曲保持部３５０は、表表紙側連結部３５２と介在連結部３５６との間及び裏表紙側連結部３５４と介在連結部３５６との間に、上端から下端に亘ってヒンジ部３６０とヒンジ部３６２とを平行に形成されている。
前記表表紙部３１２の表折り曲げ部３２４及び前記裏表紙部３１４の裏折り曲げ部３２６と背表紙部３１６との間の高さは、前記湾曲保持部３５０の表表紙側のヒンジ部３６０と表表紙部３１２の内側面との間及び裏表紙側のヒンジ部３６２と裏表紙部３１４の内側面との間の高さと略同じか又は短く形成され、表紙体を閉じたとき，表表紙側のヒンジ部３６０と裏表紙側のヒンジ部３６２とは、背表紙部３１６の幅方向における端部近傍に位置するように形成されている。
そして、表表紙部３１２を開くとき、表表紙側のヒンジ部３６０と裏表紙側のヒンジ部３６２との間の介在連結部３５６は、背表紙部３１６とは反対側に向けて湾曲するように形成されるとともに、表表紙側のヒンジ部３６０と裏表紙側のヒンジ部３６２との間の幅は、背表紙部３１６の幅より短くなるように形成されている。
【００７９】
表表紙側のヒンジ部３６０を挟んで連設された長手架橋部３５６ｅと表表紙側連結部３５２とは、荷重を加えられないときには、直交して略直角に保型されており、裏表紙側のヒンジ部３６２を挟んで連設された長手架橋部３５６ｆと裏表紙側連結部３５４とは、荷重を加えられないときには、直交して略直角に保型されている。表表紙側連結部３５２側又は裏表紙側連結部３５４側が表表紙部３１２又は裏表紙部３１４が開かれることに対応して開かれたときには、長手架橋部３５６ｅと表表紙側連結部３５２との間の角度が拡がり、又、長手架橋部３５６ｆと裏表紙側連結部３５４との間の角度が拡がるが、その角度が略１２０〜１３０度に拡大したときに、湾曲保持部３５０を構成する素材の弾力性による、表表紙側のヒンジ部３６０又は裏表紙側のヒンジ部３６２の両端近傍のスプリング性により、湾曲保持部３５０を背表紙部３１６より離れる方向に持ち上げる（図４７Ｂ参照）。
【００８０】
表表紙部３１２及び裏表紙部３１４は、図３６ないし図４０に示すように、表表紙部３１２と裏表紙部３１４との間の背表紙部３１６の表表紙側領域及び裏表紙側領域により、適宜な形状に背を固める湾曲補助部が形成されている。この実施の形態においては、湾曲補助部は、独立した湾曲補助部材３２８として構成されている。
湾曲補助部材３２８は、平面視方形状のポリプロピレン等の熱可塑性合成樹脂板体からなり、上端から下端に亘って連続した表折り曲げ部３２４及び裏折り曲げ部３２６が形成され、表表紙部３１２側における表折り曲げ部３２４より背表紙部３１６に至る領域及び裏表紙部３１４側における裏折り曲げ部３２６より背表紙部３１６に至る領域と、背表紙部３１６とによって、湾曲補助部材３２８が形成されている。
湾曲補助部材３２８は、表表紙部３１２と裏表紙部３１４との間に架け渡された背表紙部３１６の表表紙側領域及び裏表紙側領域により、表折り曲げ部３２４を枢軸として、表表紙側連結部３５２が上向きに揺動し、且つ裏折り曲げ部３２６を枢軸として、裏表紙側連結部３５４が上向きに揺動し、表表紙部３１２と裏表紙部３１４とが略水平となり水平の湾曲補助部材３２８の背表紙部３１６と平行になったとき、上向きすなわち表表紙部３１６から離れる方向に湾曲保持部３５０をアーチ状にわん曲させる、湾曲補助部を構成する。
【００８１】
そして、表表紙部３１２及び裏表紙部３１４は、表連設部３２０及び裏連設部３２２の近傍において、高さ方向においてその上端から下端に亘って、表連設部３２０及び裏連設部３２２に平行に表折り曲げ部３２４及び裏折り曲げ部３２６が形成されている。
表折り曲げ部３２４及び裏折り曲げ部３２６は、表紙体の幅方向における幅すなわち背表紙部３１６の内側面との間の長さは同一に形成されている（図３８図示）。
【００８２】
背表紙部３１６の表連設部３２０側に表連設部３２０を介して連設された方形状の保型部３２１が形成され、且つ裏連設部３２２側に裏連設部３２２を介して連設された方形状の保型部３２３が形成されている。
又、保型部３２１の表折り曲げ部３２４側に表折り曲げ部３２４を介して連設された方形状の表表紙側固着部３２５が形成され、且つ裏折り曲げ部３２６側に裏折り曲げ部３２６を介して連設された方形状の裏表紙側固着部３２７が形成されている。
【００８３】
湾曲補助部材３２８は、人が手の平に背表紙部３１６を置き手の指で把持して、ポケットシート３１８を開くことができ易いように、角張った構成を備え、把持部を構成している。
【００８４】
表表紙部３１２及び裏表紙部３１４は、前記背表紙部３１６とは反対側の自由端縁、すなわち表表紙部３１２の左側端縁及び裏表紙部３１４の右側端縁に、高さ方向における中央において、検索用凹部３７０が形成されている。
【００８５】
検索用凹部３７０の外側端縁とポケットシート３１８の外側端縁３３２とは、揃えられている。したがって、表紙を閉じた状態で本ファイル３１０を一方の手によって持った状態、特に湾曲補助部材３２８を把持した状態で、もう一方の手を検索用凹部３７０に添え、表表紙部３１２又は裏表紙部３１４とポケットシート３１８とをぱらぱらめくることができる。
【００８６】
ファイル３１０は、図２０において示すように、検索用凹部３７０において、ポケットシート３１８の最も外側の外側端縁３３２に指を添えて、わずかに表表紙部３１２又は裏表紙部３１４を撓ませて、上の方にあるポケットシート３１８から下の方にあるポケットシート３１８に向けて順に巻いて上にあげることができる。
【００８７】
表表紙部３１２及び裏表紙部３１４は、検索用凹部３７０を形成された領域の外に、ポケットシート３１８の見開き用端縁、すなわち外側端縁３３２より外側に向けて突き出て、ポケットシート３１８に形成された見出しｉを覆うための突出部３７２を、上下一対形成されている。
【００８８】
前記綴じ体たるポケットシート群３３０は、表紙体を開いたときに背表紙部３１６に連結されたポケットシート群３３０の端縁を背表紙部３１６とは反対側に向けて湾曲するように形成されている。
綴じシートたるポケットシート３１８は、熱可塑性樹脂シートを合わせたポケットを備え、その表紙に連結される端縁において各ポケットシート３１８どおしが熱溶着され、ポケットシート３１８を開いたときに背表紙部３１６に連結される端縁が内方に向けて湾曲するように形成されている。
【００８９】
表紙体を開いたとき、すなわち、表表紙側連結部３５２と裏表紙側連結部３５４とが水平面状に並置したフラット状態で且つ表表紙部３１２と裏表紙部３１４とが水平面状に並置したフラット状態のとき、表連設部３２０と裏連設部３２２との間の幅（Ｔ１）より表表紙側のヒンジ部３６０と裏表紙側のヒンジ部３６２との間の幅（Ｔ２）の方が狭くなるように、表表紙側のヒンジ部３６０は表折り曲げ部３２４より内側に位置し、裏表紙側のヒンジ部３６２は裏連設部３２２より内側に位置するように形成される。
また、表紙体を閉じたとき、すなわち、表表紙部３１２と裏表紙部３１４とが平行になった状態で且つ表表紙側連結部３５２と裏表紙側連結部３５４とが平行になったとき、表連設部３２０と裏連設部３２２との間の幅（Ｔ１）と表表紙側のヒンジ部３６０と裏表紙側のヒンジ部３６２との間の幅（Ｔ３）とは略近い幅であるが、表連設部３２０と裏連設部３２２の内側面に表表紙側のヒンジ部３６０と裏表紙側のヒンジ部３６２が固着されているので、表連設部３２０と裏連設部３２２の厚さ分だけ（Ｔ１）より（Ｔ３）の方が短い。
【００９０】
次に、本発明にかかる図３５図示ファイル３１０の製法について、図４１ないし図４６に基づいて説明する。
【００９１】
まず、複数のポケットシート３１８を多数枚重ね合せ、その重なった内側端縁３３８の端面どおしを、加熱して内側端縁３３８よりわずかに内側に入った領域を溶融させて固着する。ポケットシート３１８の内側端縁３３８を熱溶着するには、熱板を内側端縁３３８に押し当てて、内側端縁３３８の近傍を溶着させ、内側端縁３３８の端面どおしを接着してポケットシート群３３０を形成するが、ホットメルト接着剤により接着するか超音波ホーンにより溶着してもよい。
【００９２】
ポケットシート群３３０は、熱可塑性樹脂シートを合わせたポケットを備え、その表紙に連結される端縁において各ポケットシート３１８どおしが熱溶着され、ポケットシート３１８を開いたときに表紙に連結される端縁が内方に向けて湾曲するように形成されている。
【００９３】
次に、ポケットシート群３３０を表紙体の湾曲保持部３５０に固定する方法について、図４３ないし図４９に基づいて説明する。
まず、原反（ポリプロピレン等の熱可塑性合成樹脂板体）を準備し、それにトムソン加工を施して、表紙となる表紙材３８０を抜き、表表紙部３１２と裏表紙部３１４と湾曲保持部３５０とをあわせた大きさの表紙材３８０を形成する（表紙材成形ステップ）。
まず、ポリプロピレン等の熱可塑性合成樹脂板体からなる表紙材３８０から前記湾曲保持部３５０を成形するために、表表紙部３１２側に連結される表表紙側連結部３５２と、裏表紙部３１４に連結される裏表紙側連結部３５４と、前記表表紙側連結部３５２と裏表紙側連結部３５４の間に介在する介在連結部３５６とを区画成形する。
前記介在連結部３５６は、綴じ体の表紙に連結される端縁を連結され、表紙を開いたときに、表表紙側連結部３５２と裏表紙側連結部３５４とによる張力により綴じ体たるポケットシート群３３０の表紙に連結される端縁とともに背表紙部３１６とは反対側に向けて湾曲するように形成されている。
湾曲保持部３５０は、平面視方形状のポリプロピレン等の熱可塑性合成樹脂板体からなり、ポケットシート群３３０に連結される領域に貫通孔３５８を穿設されて、湾曲するように形成されているが、ポケットシート群３３０は、湾曲保持部３５０の架橋部３５６ａ、架橋部３５６ｂ、架橋部３５６ｃ1、架橋部３５６ｃ2、架橋部３５６ｃ3及び架橋部３５６ｃ4の内側面に接着され、且つ表表紙側のヒンジ部３６０及び裏表紙側のヒンジ部３６２との間においてはわずかな間隔をあけて、長手架橋部３５６ｅ及び３５６ｆの内側面に接着されている。
ポケットシート群３３０は、介在連結部３５６の上面に熱溶着される。
【００９４】
湾曲保持部３５０は、表表紙側連結部３５２と介在連結部３５６との間及び裏表紙側連結部３５４と介在連結部３５６との間にヒンジ部３６０，３６２を形成されている。
前記表表紙部３１２の表折り曲げ部３２４及び前記裏表紙部３１４の裏折り曲げ部３２６と背表紙部３１６との間の高さは、前記湾曲保持部３５０の表表紙側のヒンジ部３６０と表表紙部３１２の内側面との間及び裏表紙側のヒンジ部３６２と裏表紙部３１４の内側面との間の高さと略同じか又は短く形成され、表紙を閉じたとき，表表紙側のヒンジ部３６０と裏表紙側のヒンジ部３６２とは、背表紙部３１６の幅方向における端部近傍に位置するように構成されている。
【００９５】
この実施の形態においては、元々平板状である表紙材１８０は、折り曲げ加工を施して、表表紙側のヒンジ部３６０を挟んで連設された長手架橋部３５６ｅと表表紙側連結部３５２とは、荷重を加えられないときには、略直角に保型されており、裏表紙側のヒンジ部３６２を挟んで連設された長手架橋部３５６ｆと裏表紙側連結部３５４とは、荷重を加えられないときには、略直角に保型されるように成形する。
成形加工は、ヒンジ部３６０を中心にして表表紙側連結部３５２を介在連結部３５６と略直角になるまで折り曲げるとともに裏表紙側のヒンジ部３６２を中心にして裏表紙側連結部３５４を介在連結部３５６と略直角になるまで折り曲げる。
そして、表表紙側連結部３５２側又は裏表紙側連結部３５４側が表表紙部３１２又は裏表紙部３１４が開かれることに対応して開かれたときには、長手架橋部３５６ｅと表表紙側連結部３５２との間の角度が拡がり、又、長手架橋部３５６ｆと裏表紙側連結部３５４との間の角度が拡がるが、その角度が略１２０〜１３０度に拡大したときに、湾曲保持部３５０を構成する素材の弾力性による、表表紙側のヒンジ部３６０又は裏表紙側のヒンジ部３６２の両端近傍のスプリング性により、湾曲保持部３５０を背表紙部３１６より離れる方向に持ち上げるように成形される。
而して、表表紙部３１２を開いたとき、表表紙側のヒンジ部３６０と裏表紙側のヒンジ部３６２との間の介在連結部３５６は、背表紙部３１６とは反対側に向けて湾曲し且つ背表紙部３１６の幅より短くなるように、形成されている。
【００９６】
次に、表紙材３８０にポケットシート群３３０を接着する方法について説明する。
前記湾曲保持部３５０は、表紙の背表紙部３１６の背幅より短い幅において、ポケットシート群３３０の表紙に連結される端縁を湾曲可能にするように、幅方向においてポケットシート群３３０より適宜な間隔をおいて、前記表表紙部３１２の表表紙側のヒンジ部１６０と前記裏表紙部３１４の裏表紙側のヒンジ部３６２との間において接続される。
前記湾曲保持部３５０は、表表紙部３１２側に連結される表表紙側連結部３５２と表表紙部３１２の外側面とを溶着するとともに、裏表紙部３１４に連結される裏表紙側連結部３５４と裏表紙部３１４の外側面とを溶着して、表表紙部３１２と裏表紙部３１４の間に架け渡す。
【００９７】
前記実施の形態によれば、前記湾曲保持部３５０は、表表紙部３１２側に連結される表表紙側連結部３５２と、裏表紙部３１４に連結される裏表紙側連結部３５４と、前記表表紙側連結部３５２と裏表紙側連結部３５４の間に介在する介在連結部３５６とを含み、前記介在連結部３５６は、綴じ体の表紙に連結される端縁を連結され、表紙体を開いたときに、剛体たる表表紙側連結部３５２と剛体たる裏表紙側連結部３５４とによる張力により綴じ体の表紙に連結される端縁とともに背表紙部３１６とは反対側に向けて湾曲するように形成されている。
表表紙連結部３５２と介在連結部３５６との間及び裏表紙連結部３５４と介在連結部３５６との間に表表紙側のヒンジ部３６０及び裏表紙側のヒンジ部３６２を形成されている。
【００９８】
次に、湾曲補助部材３２８を成形するために、熱可塑性樹脂シートを準備し、それにトムソン加工を施して、平面視方形状の湾曲補助部材３２８を打ち抜く。
そして、後に背表紙部３１６となる背表紙エリアの表面に背見出し紙Ｚを接着剤で貼着する（背見出し紙貼着ステップ）。
【００９９】
たとえば、図４８及び４９に示すように、湾曲補助部材３２８として熱可塑性樹脂のシート材を用いた場合は、表連設部３２０及び裏連設部３２２と表折り曲げ部３２４及び裏折り曲げ部３２６を形成するために、互いに平行な断面略Ｖ字状のＶ字溝３２０Ａ、Ｖ字溝３２２Ａ、Ｖ字溝３２４Ａ、Ｖ字溝３２６ＡをＶ字状ヒーター（図示せず）でヒートプレス成形し、表紙材３８０を折り曲げ可能に成形する（Ｖ字溝成形ステップ）。
【０１００】
次に、表表紙側のヒンジ部３６０を挟んで連設された長手架橋部３５６ｅと表表紙側連結部３５２とを直交する略直角に保型し、且つ裏表紙側のヒンジ部３６２を挟んで連設された長手架橋部３５６ｆと裏表紙側連結部３５４とを直交する略直角に保型した状態において、湾曲補助部材３２８の保型部３２１と保型部３２３とを背表紙部３１６に直交するように保型して、表表紙側固着部３２５と表表紙側連結部３５２とを接着するとともに裏表紙側固着部３２７と裏表紙側連結部３５４とを接着する。
而して、表表紙部３１２の外表面であって表表紙側のヒンジ部３６０より外側において表連設部３２０の外端縁の近傍を固着するとともに、裏表紙部３１４の外表面であって裏表紙側のヒンジ部３６２より外側において裏連設部３２２の近傍を固着して、架け渡す湾曲補助部材３２８を備えた表紙体が形成される。
【０１０１】
前記表表紙部３１２の表折り曲げ部３２４及び前記裏表紙部３１４の裏折り曲げ部３２６と背表紙部３１６との間の高さ（Ｗ１）は、前記湾曲保持部３５０の表表紙側のヒンジ部３６０と表表紙部３１２の内側面との間及び裏表紙側のヒンジ部３６２と裏表紙部３１４の内側面との間の高さ（Ｗ２）と略同じに形成されており、背表紙部３１６の厚さ分だけ（Ｗ２）の方が（Ｗ１）より短い。
而して、表紙体を閉じたとき，表表紙側のヒンジ部３６０と裏表紙側のヒンジ部３６２とは、背表紙部３１６の幅方向における端部近傍に位置し、表紙体を開いたとき、表表紙側のヒンジ部３６０と裏表紙側のヒンジ部３６２とは、背表紙部３１６とは反対側に向けて湾曲し且つ背表紙部３１６の幅より短くなるように、形成されているので、表紙体を開けてポケットシート群３３０を見開いたときに、ポケットシート３１８をフラットにすることができる。
【０１０２】
この発明は、前記実施の形態に限られず、この発明の思想に基づき種々変更することができる。
【０１０３】
図１図示ポケットファイルは、図５０ないし図５２に示すように変形することができる。
ファイル４１０は、前記表表紙部１２と裏表紙部１４との間に連設された背表紙部１６の内側において、綴じ体たるポケットシート群３０の端縁を、表紙を開いたときに綴じシートたるポケットシート１８がのびる側に向けて湾曲させる湾曲保持部を備えるとともに、表表紙部１２と裏表紙部１４との間の背表紙部１６の表表紙側領域及び裏表紙側領域により、適宜な形状に表紙体の背を固める湾曲補助部を備える。
表表紙部１２及び裏表紙部１４は、図５０ないし図５２に示すように、背表紙部１６との表連設部２０及び裏連設部２２の近傍において、上端から下端に亘って連続した表折り曲げ部２４及び裏折り曲げ部２６が形成され、表表紙部１２における表折り曲げ部２４より背表紙部１６に至る領域及び裏表紙部１４における裏折り曲げ部２６より背表紙部１６に至る領域と、背表紙部１６とによって、把持部２８が形成されている。
把持部２８は、表表紙部１２と裏表紙部１４との間の背表紙部１６の表表紙側領域及び裏表紙側領域により、表折り曲げ部２４を枢軸として、表表紙側連結部４５２が上向きに揺動し、且つ裏折り曲げ部２６を枢軸として、裏表紙側連結部４５４が上向きに揺動し、表表紙部１２と裏表紙部１４とが略水平となり水平の背表紙部１６と平行になったとき、上向きすなわち背表紙部１６から離れる方向に湾曲保持部たる連結体４５０をアーチ状にわん曲させる湾曲補助部を構成する。
【０１０４】
そして、表表紙部１２及び裏表紙部１４は、表連設部２０及び裏連設部２２の近傍において、高さ方向においてその上端から下端に亘って、表連設部２０及び裏連設部２２に平行に表折り曲げ部２４及び裏折り曲げ部２６とが形成されている。
表折り曲げ部２４及び裏折り曲げ部２６は、表紙の幅方向における幅すなわち背表紙部１６の内側面との間の長さは同一に形成されている（図５２図示）。
前記台紙４２は、前記表折り曲げ部２４及び裏折り曲げ部２６の近傍には存在しないように設けられている。
【０１０５】
前記ポケットシート群３０は、連結される端縁と、表表紙部１２及び裏表紙部１４を連結する連結体４５０により、連結される。
前記連結体４５０は、熱可塑性合成樹脂からなる剛体の平面視略方形状の板体からなり、綴じ体たるポケットシート群３０の連結端縁において溶着されて連結された綴じ体たるポケットシート群３０の端縁を、表紙を開いたときに綴じシートたるポケットシート１８がのびる側に向けて湾曲させる湾曲保持部を構成する。
【０１０６】
前記連結体４５０は、表紙体の背表紙部１６の背幅より短い幅において、ポケットシート群３０の表紙に連結される端縁を湾曲可能にするように、幅方向においてポケットシート群３０より適宜な間隔をおいて、前記表表紙部１２の折り曲げ部２４と前記裏表紙部１４の折り曲げ部２６との近傍において接続されている。
前記連結体４５０は、表表紙部１２側に連結される表表紙側連結部４５２と、裏表紙部１４に連結される裏表紙側連結部４５４と、前記表表紙側連結部４５２と裏表紙側連結部４５４の間に介在する介在連結部４５６とを含み、前記介在連結部４５６は、ポケットシート群３０の表紙に連結される端縁に連結され、表紙を開いたときに、表表紙側連結部４５２と裏表紙側連結部４５４とによる張力により、ポケットシート群３０の表紙に連結される端縁とともに背表紙部１６とは反対側に向けて湾曲するように形成されている。
介在連結部４５６は、比較的柔軟性に富んでおり、ポケットシート１８を見開き状態にしたときにポケットシート１８の重みにより綴じシートたるポケットシート１８がのびる側に向けて、すなわち背表紙部１６とは反対側に向けて湾曲するように形成されている。
【０１０７】
前記連結体４５０の介在連結部４５６は、綴じ体に連結される領域にヒンジ溝４５８を穿設されて、湾曲するように形成されている。
連結体４５０の介在連結部４５６は、背表紙部１６側にヒンジ溝４５８を適宜な間隔をあけて複数穿設されて、全体的に弾力性を付与している。この実施の形態においては、表側ヒンジ溝４５８ａと裏側ヒンジ溝４５８ｂと中央のヒンジ溝４５８ｃとの３条の細い溝が穿設されている。
このように、連結体４５０は、その上端から下端に亘って適宜な間隔をおいて平行に柔軟性を付与するためのヒンジ溝４５８を穿設して、ポケットシート１８を開いたときに背表紙部１６とは反対側に向けて湾曲するように形成されている点において、図１図示実施の形態とは異なる。
【０１０８】
連結体４５０は、表表紙側連結部４５２と介在連結部４５６との間及び裏表紙側連結部４５４と介在連結部４５６との間に、上端から下端に亘って連続した表表紙側ヒンジ部６０と裏表紙側のヒンジ部６２を平行に形成されている。
そして、介在連結部４５６は、表表紙側のヒンジ部６０の近傍に介在連結部４５６の上端から下端に亘って連続して長手架橋部４５６ｅが形成され、且つ裏表紙側のヒンジ部６２の近傍に介在連結部４５６の上端から下端に亘って連続して長手架橋部４５６ｆが形成されている。
【０１０９】
前記表表紙部１２の表折り曲げ部２４及び前記裏表紙部１４の裏折り曲げ部２６と背表紙部１６との間の高さは、前記連結体４５０の表表紙側のヒンジ部６０と表表紙部１２の内側面との間及び裏表紙側のヒンジ部６２と裏表紙部１４の内側面との間の高さと略同じか又は短く形成され、表紙を閉じたとき，表表紙側のヒンジ部６０と裏表紙側のヒンジ部６２とは、背表紙部１６の幅方向における端部近傍に位置するように形成されている。
そして、表表紙部１２を開いたとき、表表紙側のヒンジ部６０と裏表紙側のヒンジ部６２との間の介在連結部４５６は、背表紙部１６とは反対側に向けて湾曲するように形成されるとともに、表表紙側のヒンジ部６０と裏表紙側のヒンジ部６２との間の幅は、背表紙部１６の幅より短くなるように形成されている。
【０１１０】
図２１図示ポケットファイルは、図５３ないし図５５に示すように変更することができる。
ファイル５１０は、表表紙部１１２と裏表紙部１１４との間の背表紙部１１６の表表紙側領域及び裏表紙側領域により、適宜な形状に表紙体の背を固める湾曲補助部を備えるとともに、前記表表紙部１１２と裏表紙部１１４との間に連設された背表紙部１１６の内側に綴じ体たるポケットシート群１３０の端縁を、表紙を開いたときに綴じシートたるポケットシート１１８がのびる側に向けて湾曲させる湾曲保持部を備える。この変形例においては、湾曲補助部は、独立した湾曲補助部材１２８として構成されていることは、図２１図示ポケットファイルと同様である。
【０１１１】
前記湾曲保持部５５０は、表紙体の背表紙部１１６の背幅より短い幅において、ポケットシート群１３０の表紙に連結される端縁を湾曲可能にするように、幅方向においてポケットシート群１３０より適宜な間隔をおいて、表表紙側のヒンジ部１６０の外側近傍と裏表紙側のヒンジ部１６２の外側近傍との間において接続されている。
湾曲保持部５５０は、表表紙部１１２側に連設される表表紙側連結部５５２と、裏表紙部１１４に連設される裏表紙側連結部５５４と、前記表表紙側連結部５５２と裏表紙側連結部５５４との間に介在する介在連結部５５６とを含み、前記介在連結部５５６は、ポケットシート群１３０の表紙に連結される端縁に連結され、表紙を開いたときに、表表紙側連結部５５２と裏表紙側連結部５５４とによる張力により、ポケットシート群１３０の表紙に連結される端縁とともに背表紙部１１６とは反対側に向けて湾曲するように形成されている。
湾曲保持部５５０は、比較的柔軟性に富んでおり、ポケットシート１１８を見開いたときに、ポケットシート１１８の重みにより綴じシートたるポケットシート１１８がのびる側に向けて、すなわち背表紙部１１６とは反対側に向けて、アーチ状に湾曲するように形成されている。
【０１１２】
前記湾曲保持部５５０の介在連結部５５６は、平面視方形状のポリプロピレン等の熱可塑性合成樹脂板体からなり、綴じ体たるポケットシート群１３０に連結される領域にヒンジ溝５５８を穿設されて、湾曲するように形成されている。
湾曲保持部５５０の介在連結部５５６は、背表紙部１１６側にヒンジ溝５５８を適宜な間隔をあけて複数穿設されて、全体的に弾力性を付与している。この実施の形態においては、表側ヒンジ溝５５８ａと、裏側ヒンジ溝５５８ｂと、中間のヒンジ溝５５８ｃの３条の細い溝が穿設されている。
【０１１３】
このように、湾曲保持部５５０は、その上端から下端に亘って適宜な間隔をおいて平行に柔軟性を付与するためのヒンジ溝５５８を穿設して、ポケットシート１１８を開いたときに背表紙部１１６とは反対側に向けて湾曲するように形成されている点において、図２１図示実施の形態とは異なる。
【０１１４】
湾曲保持部５５０は、表表紙側連結部５５２と介在連結部５５６との間及び裏表紙側連結部５５４と介在連結部５５６との間に、上端から下端に亘って表表紙側のヒンジ部１６０と裏表紙側のヒンジ部１６２とを平行に形成されている。
そして、介在連結部５５６は、表表紙側のヒンジ部１６０の近傍に介在連結部５５６の上端から下端に亘って連続して長手架橋部５５６ｅが形成され、且つ裏表紙側のヒンジ部１６２の近傍に介在連結部５５６の上端から下端に亘って連続して長手架橋部５５６ｆが形成されている。
【０１１５】
前記表表紙部１１２の表折り曲げ部１２４及び前記裏表紙部１１４の裏折り曲げ部１２６と背表紙部１１６との間の高さは、前記湾曲保持部５５０の表表紙側のヒンジ部１６０と表表紙部１１２の内側面との間及び裏表紙側のヒンジ部１６２と裏表紙部１１４の内側面との間の高さと略同じか又は短く形成され、表紙体を閉じたとき，表表紙側のヒンジ部１６０と裏表紙側のヒンジ部１６２とは、背表紙部１１６の幅方向における端部近傍に位置するように形成されている。
そして、表表紙部１１２を開くとき、表表紙側のヒンジ部１６０と裏表紙側のヒンジ部１６２との間の介在連結部５５６は、背表紙部１１６とは反対側に向けて湾曲するように形成されるとともに、表表紙側のヒンジ部１６０と裏表紙側のヒンジ部１６２との間の幅は、背表紙部１１６の幅より短くなるように形成されている。
【０１１６】
また、図１図示ポケットファイルは、図５６ないし図５８に示すように変更することができる。
ファイル６１０は、前記表表紙部１２と裏表紙部１４との間に連設された背表紙部１６の内側において、綴じ体たるポケットシート群３０の端縁を、表紙を開いたときに綴じシートたるポケットシート１８がのびる側に向けて湾曲させる湾曲保持部を備えるとともに、表表紙部１２と裏表紙部１４との間の背表紙部１６の表表紙側領域及び裏表紙側領域により、適宜な形状に表紙体の背を固める湾曲補助部を備える。
【０１１７】
表表紙部１２及び裏表紙部１４は、図５６ないし図５８に示すように、背表紙部１６との表連設部２０及び裏連設部２２の近傍において、上端から下端に亘って連続した表折り曲げ部２４及び裏折り曲げ部２６が形成され、表表紙部１２における表折り曲げ部２４より背表紙部１６に至る領域及び裏表紙部１４における裏折り曲げ部２６より背表紙部１６に至る領域と、背表紙部１６とによって、把持部２８が形成されている。
把持部２８は、表表紙部１２と裏表紙部１４との間の背表紙部１６の表表紙側領域及び裏表紙側領域により、表折り曲げ部２４を枢軸として、表表紙側連結部６５２が上向きに揺動し、且つ裏折り曲げ部２６を枢軸として、裏表紙側連結部６５４が上向きに揺動し、表表紙部１２と裏表紙部１４とが略水平となり水平の背表紙部１６と平行になったとき、綴じシートたるポケットシート１８がのびる側に向けて、すなわち背表紙部１６から離れる方向に湾曲保持部たる連結体６５０をアーチ状にわん曲させる湾曲補助部を構成する。
【０１１８】
そして、表表紙部１２及び裏表紙部１４は、表連設部２０及び裏連設部２２の近傍において、高さ方向においてその上端から下端に亘って、表連設部２０及び裏連設部２２に平行に表折り曲げ部２４及び裏折り曲げ部２６とが形成されている。
表折り曲げ部２４及び裏折り曲げ部２６は、表紙の幅方向における幅すなわち背表紙部１６の内側面との間の長さは同一に形成されている（図５７Ａ図示）。
前記台紙４２は、前記表折り曲げ部２４及び裏折り曲げ部２６の近傍には存在しないように設けられている。
【０１１９】
前記ポケットシート群３０は、連結される端縁と、表表紙部１２及び裏表紙部１４を連結する連結体６５０により、連結される。
前記連結体６５０は、熱可塑性合成樹脂からなる剛体の平面視略方形状の板体からなり、綴じ体たるポケットシート群３０の連結端縁において溶着されて連結された綴じ体たるポケットシート群３０の端縁を、表紙を開いたときに綴じシートたるポケットシート１８がのびる側に向けて湾曲させる湾曲保持部を構成する。
【０１２０】
前記連結体６５０は、表紙体の背表紙部１６の背幅より短い幅において、ポケットシート群３０の表紙に連結される端縁を湾曲可能にするように、幅方向においてポケットシート群３０より適宜な間隔をおいて、前記表表紙部１２の折り曲げ部２４と前記裏表紙部１４の折り曲げ部２６との近傍において接続されている。
前記連結体６５０は、表表紙部１２側に連結される表表紙側連結部６５２と、裏表紙部１４に連結される裏表紙側連結部６５４と、前記表表紙側連結部６５２と裏表紙側連結部６５４の間に介在する介在連結部６５６とを含み、前記介在連結部６５６は、ポケットシート群３０の表紙に連結される端縁に連結され、表紙を開いたときに、表表紙側連結部６５２と裏表紙側連結部６５４とによる張力により、ポケットシート群３０の表紙に連結される端縁とともに背表紙部１６とは反対側に向けて湾曲するように形成されている。
連結体６５０の介在連結部６５６は、表表紙側連結部６５２及び裏表紙側連結部６５４部分よりその厚みを薄くして、柔軟性を付与して、ポケットシート１８を開いたときにポケットシート１８の重みにより綴じシートたるポケットシート１８がのびる側に向けて、すなわち背表紙部１６とは反対側に向けて、アーチ状に湾曲するように形成されている。
この実施の形態においては、連結体６５０を構成する、全体的に厚みが均一なポリプロピレン等の熱可塑性合成樹脂板体の介在連結部６５６を構成する領域に熱プレス加工による塑性変形を施して、その厚みを薄くすることにより、柔軟性を付与している。
【０１２１】
連結体６５０は、表表紙側連結部６５２と介在連結部６５６との間及び裏表紙側連結部６５４と介在連結部６５６との間に、上端から下端に亘って連続したヒンジ部６０とヒンジ部６２を平行に形成されている。
そして、介在連結部６５６は、表表紙側のヒンジ部６０の近傍に介在連結部６５６の上端から下端に亘って連続して長手架橋部６５６ｅが形成され、且つ裏表紙側のヒンジ部６２の近傍に介在連結部６５６の上端から下端に亘って連続して長手架橋部６５６ｆが形成されている。
この実施の形態においては、長手架橋部６５６ｅ及び長手架橋部６５６ｆの部分は、表表紙側連結部６５２及び裏表紙側連結部６５４と略同じ厚みを備え、長手架橋部６５６ｅと長手架橋部６５６ｆとの間が前記したようにその厚みを薄くしている。
【０１２２】
前記表表紙部１２の表折り曲げ部２４及び前記裏表紙部１４の裏折り曲げ部２６と背表紙部１６との間の高さは、前記連結体６５０の表表紙側のヒンジ部６０と表表紙部１２の内側面との間及び裏表紙側のヒンジ部６２と裏表紙部１４の内側面との間の高さと略同じか又は短く形成され、表紙を閉じたとき，表表紙側のヒンジ部６０と裏表紙側のヒンジ部６２とは、背表紙部１６の幅方向における端部近傍に位置するように形成されている。
そして、表表紙部１２を開いたとき、表表紙側のヒンジ部６０と裏表紙側のヒンジ部６２との間の介在連結部６５６は、背表紙部１６とは反対側に向けて湾曲するように形成されるとともに、表表紙側のヒンジ部６０と裏表紙側のヒンジ部６２との間の幅は、背表紙部１６の幅より短くなるように形成されている。
【０１２３】
図２１図示ポケットファイルは、図５９ないし図６１に示すように変更することができる。
ファイル７１０は、表表紙部１１２と裏表紙部１１４との間の背表紙部１１６の表表紙側領域及び裏表紙側領域により、適宜な形状に表紙体の背を固める湾曲補助部を備えるとともに、前記表表紙部１１２と裏表紙部１１４との間に連設された背表紙部１１６の内側に綴じ体たるポケットシート群１３０の端縁を、表紙を開いたときに綴じシートたるポケットシート１１８がのびる側に向けて湾曲させる湾曲保持部を備える。この変形例においては、湾曲補助部は、独立した湾曲補助部材１２８として構成されていることは、図２１図示ポケットファイルと同様である。
【０１２４】
前記湾曲保持部７５０は、表紙体の背表紙部１１６の背幅より短い幅において、ポケットシート群１３０の表紙に連結される端縁を湾曲可能にするように、幅方向においてポケットシート群１３０より適宜な間隔をおいて、表表紙側のヒンジ部１６０の内側近傍と裏表紙側のヒンジ部１６２の内側近傍との間において接続されている。
湾曲保持部７５０は、表表紙部１１２側に連設される表表紙側連結部７５２と、裏表紙部１１４に連結される裏表紙側連結部７５４と、前記表表紙側連結部７５２と裏表紙側連結部７５４との間に介在する介在連結部７５６とを含み、前記介在連結部７５６は、ポケットシート群１３０の表紙に連結される端縁に連結され、表紙を開いたときに、表表紙側連結部７５２と裏表紙側連結部７５４とによる張力により、ポケットシート群１３０の表紙に連結される端縁とともに背表紙部１１６とは反対側に向けて湾曲するように形成されている。
湾曲保持部７５０は、比較的柔軟性に富んでおり、ポケットシート１１８を見開いたときに、ポケットシート１１８の重みにより背表紙部１１６とは反対側に向けて湾曲するように形成されている。
【０１２５】
前記湾曲保持部７５０は、全体的に厚みが均一な平面視方形状のポリプロピレン等の熱可塑性合成樹脂板体からなり、綴じ体たるポケットシート群１３０に連結される領域の厚みを薄くして柔軟性を付与して、湾曲するように形成されている。
この実施の形態においては、湾曲保持部７５０を構成する、全体的に厚みが均一なポリプロピレン等の熱可塑性合成樹脂板体の介在連結部７５６を構成する領域に熱プレス加工による塑性変形を施して、その厚みを薄くして、柔軟性を付与している。
而して、湾曲保持部７５０は、ポケットシート１１８を開いたときにポケットシート１１８の重みにより綴じシートたるポケットシート１１８がのびる側に向けて、すなわち背表紙部１１６とは反対側に向けて、アーチ状に湾曲するように形成されている。
【０１２６】
湾曲保持部７５０は、表表紙側連結部７５２と介在連結部７５６との間及び裏表紙側連結部７５４と介在連結部７５６との間に、上端から下端に亘ってヒンジ部１６０とヒンジ部１６２とを平行に形成されている。
そして、介在連結部７５６は、表表紙側のヒンジ部１６０の近傍に介在連結部７５６の上端から下端に亘って連続して長手架橋部７５６ｅが形成され、且つ裏表紙側のヒンジ部１６２の近傍に介在連結部７５６の上端から下端に亘って連続して長手架橋部７５６ｆが形成されている。
この実施の形態においては、長手架橋部７５６ｅ及び長手架橋部７５６ｆの部分は、表表紙側連結部７５２及び裏表紙側連結部７５４と略同じ厚みを備え、長手架橋部７５６ｅと長手架橋部７５６ｆとの間が前記したようにその厚みを薄くしている。
【０１２７】
前記表表紙部１１２の表折り曲げ部１２４及び前記裏表紙部１１４の裏折り曲げ部１２６と背表紙部１１６との間の高さは、前記湾曲保持部７５０の表表紙側のヒンジ部１６０と表表紙部１１２の内側面との間及び裏表紙側のヒンジ部１６２と裏表紙部１１４の内側面との間の高さと略同じか又は短く形成され、表紙体を閉じたとき，表表紙側のヒンジ部１６０と裏表紙側のヒンジ部１６２とは、背表紙部１１６の幅方向における端部近傍に位置するように形成されている。
そして、表表紙部１１２を開くとき、表表紙側のヒンジ部１６０と裏表紙側のヒンジ部１６２との間の介在連結部７５６は、背表紙部１１６とは反対側に向けて湾曲するように形成されるとともに、表表紙側のヒンジ部１６０と裏表紙側のヒンジ部１６２との間の幅は、背表紙部１１６の幅より短くなるように形成されている。
【０１２８】
図１図示ポケットファイルは、図６２ないし図６４に示すように変更することができる。
【０１２９】
ファイル８１０は、前記表表紙部１２と裏表紙部１４との間に連設された背表紙部１６の内側において、綴じ体たるポケットシート群３０の端縁を、表紙を開いたときに綴じシートたるポケットシート１８がのびる側に向けて湾曲させる湾曲保持部を備えるとともに、表表紙部１２と裏表紙部１４との間の背表紙部１６の表表紙側領域及び裏表紙側領域により、適宜な形状に表紙体の背を固める湾曲補助部を備える。
【０１３０】
表表紙部１２及び裏表紙部１４は、図６２ないし図６４に示すように、背表紙部１６との表連設部２０及び裏連設部２２の近傍において、上端から下端に亘って連続した表折り曲げ部２４及び裏折り曲げ部２６が形成され、表表紙部１２における表折り曲げ部２４より背表紙部１６に至る領域及び裏表紙部１４における裏折り曲げ部２６より背表紙部１６に至る領域と、背表紙部１６とによって、把持部２８が形成されている。
把持部２８は、表表紙部１２と裏表紙部１４との間の背表紙部１６の表表紙側領域及び裏表紙側領域により、表折り曲げ部２４を枢軸として、表表紙側連結部８５２が上向きに揺動し、且つ裏折り曲げ部２６を枢軸として、裏表紙側連結部８５４が上向きに揺動し、表表紙部１２と裏表紙部１４とが略水平となり水平の背表紙部１６と平行になったとき、綴じシートたるポケットシート１８がのびる側に向けて、すなわち背表紙部１６から離れる方向に湾曲保持部たる連結体８５０をアーチ状にわん曲させる湾曲補助部を構成する。
【０１３１】
そして、表表紙部１２及び裏表紙部１４は、表連設部２０及び裏連設部２２の近傍において、高さ方向においてその上端から下端に亘って、表連設部２０及び裏連設部２２に平行に表折り曲げ部２４及び裏折り曲げ部２６とが形成されている。
表折り曲げ部２４及び裏折り曲げ部２６は、表紙の幅方向における幅すなわち背表紙部１６の内側面との間の長さは同一に形成されている（図６３図示）。
前記台紙４２は、前記表折り曲げ部２４及び裏折り曲げ部２６の近傍には存在しないように設けられている。
【０１３２】
前記ポケットシート群３０は、連結される端縁と、表表紙部１２及び裏表紙部１４を連結する連結体８５０により、連結される。
前記連結体８５０は、熱可塑性合成樹脂からなる剛体の平面視略方形状の板体からなり、綴じ体たるポケットシート群３０の連結端縁において溶着されて連結された綴じ体たるポケットシート群３０の端縁を、表紙を開いたときに綴じシートたるポケットシート１８がのびる側に向けて湾曲させる湾曲保持部を構成する。
【０１３３】
前記連結体８５０は、表紙体の背表紙部１６の背幅より短い幅において、ポケットシート群３０の表紙に連結される端縁を湾曲可能にするように、幅方向においてポケットシート群３０より適宜な間隔をおいて、前記表表紙部１２の折り曲げ部２４と前記裏表紙部１４の折り曲げ部２６との近傍において接続されている。
前記連結体８５０は、表表紙部１２側に連結される表表紙側連結部８５２と、裏表紙部１４に連結される裏表紙側連結部８５４と、前記表表紙側連結部８５２と裏表紙側連結部８５４の間に介在する介在連結部８５６とを含み、前記介在連結部８５６は、ポケットシート群３０の表紙に連結される端縁に連結され、表紙を開いたときに、表表紙側連結部８５２と裏表紙側連結部８５４とによる張力により、ポケットシート群３０の表紙に連結される端縁とともに背表紙部１６とは反対側に向けて湾曲するように形成されている。
介在連結部８５６は、比較的柔軟性に富んでおり、ポケットシート１８を見開き状態にしたときにポケットシート１８の重みにより綴じシートたるポケットシート１８がのびる側に向けて、すなわち背表紙部１６とは反対側に向けて、アーチ状に湾曲するように形成されている。
【０１３４】
前記連結体８５０は、綴じ体に連結される領域に貫通孔８５８を穿設されて、湾曲するように形成されている。
連結体８５０は、平面視長方形状の貫通孔８５８を適宜な間隔をあけて複数穿設されて、全体的に弾力性を付与している。この実施の形態においては、上の貫通孔８５８ａと下の貫通孔８５８ｂと中間の貫通孔８５８ｃ1，８５８ｃ2及び８５８ｃ3との５個の貫通した孔が穿設されている。
この実施の形態においては、介在連結部８５６は、上端及び下端において上下一対の架橋部８５６ａ及び架橋部８５６ｂが表表紙側連結部８５２と裏表紙側連結部８５４との間に架け渡されるとともに、上の貫通孔８５８ａと中間の貫通孔８５８ｃ1との間に架橋部８５６ｃ1が架け渡され且つ中間の貫通孔８５８ｃ3と下の貫通孔８５８ｂとの間に架橋部８５６ｃ4が架け渡されて、ポケットシート群３０との接着領域を形成されている。更に、中間の貫通孔８５８ｃ1と中間の貫通孔８５８ｃ2との間に架橋部８５６ｃ2が架け渡され、中間の貫通孔８５８ｃ2と中間の貫通孔８５８ｃ3との間に架橋部８５６ｃ3が架け渡されて、ポケットシート群３０との接着領域を形成されている。
更に、上の貫通孔８５８ａ、下の貫通孔８５８ｂ、中間の貫通孔８５８ｃ1、８５８ｃ2及び８５８ｃ3と表表紙側のヒンジ部６０との間に長手架橋部８５６ｅが形成され、且つ上の貫通孔８５８ａ、下の貫通孔８５８ｂ、中間の貫通孔８５８ｃ1、８５８ｃ2及び８５８ｃ3と裏表紙側のヒンジ部６２との間に長手架橋部８５６ｆが形成されている。
【０１３５】
連結体８５０は、表表紙側連結部８５２と介在連結部８５６との間及び裏表紙側連結部８５４と介在連結部８５６との間に、上端から下端に亘って連続したヒンジ部６０とヒンジ部６２を平行に形成されている。
前記表表紙部１２の表折り曲げ部２４及び前記裏表紙部１４の裏折り曲げ部２６と背表紙部１６との間の高さは、前記連結体８５０の表表紙側のヒンジ部６０と表表紙部１２の内側面との間及び裏表紙側のヒンジ部６２と裏表紙部１４の内側面との間の高さと略同じか又は短く形成され、表紙を閉じたとき，表表紙側のヒンジ部６０と裏表紙側のヒンジ部６２とは、背表紙部１６の幅方向における端部近傍に位置するように形成されている。
そして、表表紙部１２を開いたとき、表表紙側のヒンジ部６０と裏表紙側のヒンジ部６２との間の介在連結部８５６は、背表紙部１６とは反対側に向けて湾曲するように形成されるとともに、表表紙側のヒンジ部６０と裏表紙側のヒンジ部６２との間の幅は、背表紙部１６の幅より短くなるように形成されている。
【０１３６】
表表紙側のヒンジ部６０を挟んで連設された表表紙側連結部８５２と介在連結部８５６とは、荷重を加えられないときには、直交して略直角に保型されており、裏表紙側のヒンジ部６２を挟んで連設された裏表紙側連結部８５４と介在連結部８５６とは、荷重を加えられないときには、直交して略直角に保型されている。表表紙側連結部８５２側又は裏表紙側連結部８５４側が表表紙部１２又は裏表紙部１４が開かれることに対応して開かれたときには、介在連結部８５６と表表紙側連結部８５２との間の角度が拡がり、又、介在連結部８５６と裏表紙側連結部８５４との間の角度が拡がるが、その角度が略１２０〜１３０度に拡大したときに、連結部８５０を構成する素材の弾力性による、表表紙側のヒンジ部６０又は裏表紙側のヒンジ部６２の両端近傍のスプリング性により、連結部８５０を背表紙部１６より離れる方向に持ち上げる。
【図面の簡単な説明】
【０１３７】
【図１】この発明の一実施の形態であるポケットファイルの斜視図解図である。
【図２】図１図示ポケットファイルの開いた状態における斜視図解図である。
【図３】図１図示ポケットファイルの閉じた状態における縦断面図解図である。
【図４】図１図示ポケットファイルの閉じた状態における横断面図解図である。
【図５】図１図示ポケットファイルの開いた状態における横断面図解図である。
【図６】図１図示ファイルの製法を示す斜視図解図である。
【図７】図１図示ファイルの製法を示す斜視図解図である。
【図８】図１図示ファイルの製法を示す斜視図解図である。
【図９】図１図示ファイルの製法を示す斜視図解図である。
【図１０】図１図示ファイルの製法を示す断面図解図であり、ポケットシート群の準    備状態を示す図である。
【図１１】図１図示ファイルの製法を示す断面図解図であり、ポケットシート群と連    結体との連結方法を示す図である。
【図１２】図１図示ファイルの製法を示す断面図解図であり、ポケットシート群と連    結体との連結方法を示す図である
【図１３】表紙体と連結体との固着方法を示す横断面図解図である。
【図１４】図１図示ファイルの製法を示す斜視図解図である。
【図１５】図１図示ファイルの作用を示す横断面図解図である。
【図１６】図１図示ファイルの変形例の図解図であり、表紙を閉じた状態を示す横断    面図解図である。
【図１７】図１図示ファイルの変形例の図解図であり、表紙を開いた状態を示す横断    面図解図である。
【図１８】図１図示ファイルの変形例の図解図であり、表紙を閉じた状態を示す横断    面図解図である。
【図１９】図１図示ファイルの変形例の図解図であり、表紙を開いた状態を示す横断    面図解図である。
【図２０】この発明にかかるファイルの使用方法を示す斜視図解図である。
【図２１】この発明の一実施の形態であるポケットファイルの斜視図解図である。
【図２２】図２１図示ポケットファイルの開いた状態における斜視図解図である。
【図２３】図２１図示ポケットファイルの閉じた状態における縦断面図解図である。
【図２４】図２１図示ポケットファイルの閉じた状態における横断面図解図である。
【図２５】図２１図示ポケットファイルの開いた状態における横断面図解図である。
【図２６】図２１図示ポケットファイルの開いた状態における横断面図解図である。
【図２７】図２１図示ファイルの製法を示す斜視図解図である。
【図２８】図２１図示ファイルの製法を示す断面図解図であり、ポケットシート群と湾曲保持部との連結方法を示す図である。
【図２９】図２１図示ファイルの製法を示す断面図解図であり、ポケットシート群と湾曲保持部との連結方法を示す図である。
【図３０】図２１図示ファイルの製法を示す断面図解図であり、ポケットシート群と湾曲保持部との連結方法を示す図である。
【図３１】図２１図示ファイルの製法を示す断面図解図であり、ポケットシート群と湾曲保持部との連結方法を示す図である。
【図３２】図２１図示ファイルの製法を示す断面図解図であり、ポケットシート群と湾曲保持部との連結方法を示す図である。
【図３３】表紙と湾曲補助部材との固着方法を示す横断面図解図である。
【図３４】図２１図示ファイルの作用を示す横断面図解図である。
【図３５】この発明の一実施の形態であるポケットファイルの斜視図解図である。
【図３６】図３５図示ポケットファイルの開いた状態における斜視図解図である。
【図３７】図３５図示ポケットファイルの閉じた状態における縦断面図解図である。
【図３８】図３５図示ポケットファイルの閉じた状態における横断面図解図である。
【図３９】図３５図示ポケットファイルの開いた状態における横断面図解図である。
【図４０】図３５図示ポケットファイルの開いた状態における横断面図解図である。
【図４１】図３５図示ファイルの製法を示す斜視図解図である。
【図４２】図３５図示ファイルの製法を示す断面図解図であり、ポケットシート群と湾曲保持部との連結方法を示す図である。
【図４３】図３５図示ファイルの製法を示す断面図解図であり、ポケットシート群と湾曲保持部との連結方法を示す図である。
【図４４】図３５図示ファイルの製法を示す断面図解図であり、ポケットシート群と湾曲保持部との連結方法を示す図である。
【図４５】図３５図示ファイルの製法を示す断面図解図であり、ポケットシート群と湾曲保持部との連結方法を示す図である。
【図４６】図３５図示ファイルの製法を示す断面図解図であり、ポケットシート群と湾曲保持部との連結方法を示す図である。
【図４７Ａ】湾曲保持部の形成を示す横断面図解図である。
【図４７Ｂ】湾曲保持部の作用を示す横断面図解図である。
【図４８】表紙と湾曲補助部材との固着方法を示す横断面図解図である。
【図４９】図３５図示ファイルの作用を示す横断面図解図である。
【図５０】図１図示ポケットファイルの変形例たるポケットファイルの斜視図解図である。
【図５１Ａ】図５０図示ポケットファイルの閉じた状態における横断面図解図である。
【図５１Ｂ】湾曲保持部の作動状態を示す湾曲保持部近傍の底面図解図である。
【図５２】図５０図示ポケットファイルの開いた状態における横断面図解図である。
【図５３】図２１図示ポケットファイルの変形例たるポケットファイルの斜視図解図である。
【図５４Ａ】図５３図示ポケットファイルの閉じた状態における横断面図解図である。
【図５４Ｂ】湾曲保持部の作動状態を示す湾曲保持部近傍の底面図解図である。
【図５５】図５３図示ポケットファイルの開いた状態における横断面図解図である。
【図５６】図１図示ポケットファイルの変形例たるポケットファイルの斜視図解図である。
【図５７Ａ】図５６図示ポケットファイルの閉じた状態における横断面図解図である。
【図５７Ｂ】湾曲保持部の作動状態を示す湾曲保持部近傍の底面図解図である。
【図５８】図５６図示ポケットファイルの開いた状態における横断面図解図である。
【図５９】図２１図示ポケットファイルの変形例たるポケットファイルの斜視図解図である。
【図６０Ａ】図５９図示ポケットファイルの閉じた状態における横断面図解図である。
【図６０Ｂ】湾曲保持部の作動状態を示す湾曲保持部近傍の底面図解図である。
【図６１】図５９図示ポケットファイルの開いた状態における横断面図解図である。
【図６２】図３５図示ポケットファイルの変形例たるポケットファイルの斜視図解図である。
【図６３】図６２図示ポケットファイルの閉じた状態における横断面図解図である。
【図６４】図６２図示ポケットファイルの開いた状態における横断面図解図である。
【図６５】図６２図示ファイルの製法を示す斜視図解図である。
【図６６】この発明にかかるファイルの説明図である。
【符号の説明】
【０１３８】
１０，４１０，６１０，８１０  ファイル
１２  表表紙部
１４  裏表紙部
１６  背表紙部
１８  ポケットシート
２０  表連設部
２０Ａ，２２Ａ，２４Ａ，２６Ａ  Ｖ字溝
２２  裏連設部
２４  表折り曲げ部
２６  裏折り曲げ部
２８  把持部
３０  ポケットシート群
３２  外側端縁
３４  底縁
３６  開口縁
３８  内側端縁
４０  ポケット部
４２  台紙
５０，４５０，６５０，８５０  連結体
５２，４５２，６５２，８５２  表表紙側連結部
５４，４５４，６５４，８５４  裏表紙側連結部
５６，４５６，６５６，８５６  介在連結部
５６ａ，５６ｂ，５６ｃ，５６ｄ  架橋部
５６ｅ，４５６ｅ，６５６ｅ，８５６ｅ  長手架橋部
５６ｆ，４５６ｆ，６５６ｆ，８５６ｆ  長手架橋部
５８，８５８  貫通孔
５８ａ，８５８ａ  上の貫通孔
５８ｂ，８５８ｂ  下の貫通孔
５８ｃ  中間の貫通孔
６０  表表紙側のヒンジ部
６２  裏表紙側のヒンジ部
７０  検索用凹部
７２  突出部
８０  表紙材
４５８  ヒンジ溝
４５８ａ  表側ヒンジ溝
４５８ｂ  裏側ヒンジ溝
４５８ｃ  中間のヒンジ溝
８５６ａ  架橋部
８５６ｂ  架橋部
８５６ｃ1  架橋部
８５６ｃ2  架橋部
８５６ｃ3  架橋部
８５６ｃ4  架橋部
８５８ｃ1  中間の貫通孔
８５８ｃ2  中間の貫通孔
８５８ｃ3  中間の貫通孔
１１０，３１０，５１０，７１０  ファイル
１１２，３１２  表表紙部
１１４，３１４  裏表紙部
１１６，３１６  背表紙部
１１８，３１８  ポケットシート
１２０，３２０  表連設部
１２０Ａ，１２２Ａ，１２４Ａ，１２６Ａ，３２０Ａ，３２２Ａ，３２４Ａ，３２６Ａ  Ｖ字溝
１２１，１２３，３２１，３２３  保型部
１２２，３２２  裏連設部
１２４，３２４  表折り曲げ部
１２５，３２５  表表紙側固着部
１２６，３２６  裏折り曲げ部
１２７，３２７  裏表紙側固着部
１２８，３２８  湾曲補助部材
１３０，３３０  ポケットシート群
１３２，３３２  外側端縁
１３４，３３４  底縁
１３６，３３６  開口縁
１３８，３３８  内側端縁
１４０，３４０  ポケット部
１４２，３４２  台紙
１５０，３５０，５５０，７５０  湾曲保持部
１５２，３５２，５５２，７５２  表表紙側連結部
１５４，３５４，５５４，７５４  裏表紙側連結部
１５６，３５６，５５６，７５６  介在連結部
１５６ａ，３５６ａ  架橋部
１５６ｂ，３５６ｂ  架橋部
１５６ｃ1，３５６ｃ1  架橋部
１５６ｃ2，３５６ｃ2  架橋部
１５６ｃ3，３５６ｃ3  架橋部
１５６ｃ4，３５６ｃ4  架橋部
１５６ｃ5  架橋部
１５６ｅ，３５６ｅ，５５６ｅ，７５６ｅ  長手架橋部
１５６ｆ，３５６ｆ，５５６ｆ，７５６ｆ  長手架橋部
１５８，３５８  貫通孔
１５８ａ，３５８ａ  上の貫通孔
１５８ｂ，３５８ｂ  下の貫通孔
１５８ｃ1，３５８ｃ1  中間の貫通孔
１５８ｃ2，３５８ｃ2  中間の貫通孔
１５８ｃ3，３５８ｃ3  中間の貫通孔
１５８ｃ4，３５８ｃ4  中間の貫通孔
１６０，３６０  表表紙側のヒンジ部
１６２，３６２  裏表紙側のヒンジ部
１７０，３７０  検索用凹部
１７２，３７２  突出部
１８０，３８０  表紙材
５５８  ヒンジ溝
５５８ａ  表側ヒンジ溝
５５８ｂ  裏側ヒンジ溝
５５８ｃ  中間のヒンジ溝
ｉ  見出し
Ｓ  被綴じ物
Ｚ  背見出し紙
【図１】
0004405543.tif 000002
【図２】
0004405543.tif 000003
【図３】
0004405543.tif 000004
【図４】
0004405543.tif 000005
【図５】
0004405543.tif 000006
【図６】
0004405543.tif 000007
【図７】
0004405543.tif 000008
【図８】
0004405543.tif 000009
【図９】
0004405543.tif 000010
【図１０】
0004405543.tif 000011
【図１１】
0004405543.tif 000012
【図１２】
0004405543.tif 000013
【図１３】
0004405543.tif 000014
【図１４】
0004405543.tif 000015
【図１５】
0004405543.tif 000016
【図１６】
0004405543.tif 000017
【図１７】
0004405543.tif 000018
【図１８】
0004405543.tif 000019
【図１９】
0004405543.tif 000020
【図２０】
0004405543.tif 000021
【図２１】
0004405543.tif 000022
【図２２】
0004405543.tif 000023
【図２３】
0004405543.tif 000024
【図２４】
0004405543.tif 000025
【図２５】
0004405543.tif 000026
【図２６】
0004405543.tif 000027
【図２７】
0004405543.tif 000028
【図２８】
0004405543.tif 000029
【図２９】
0004405543.tif 000030
【図３０】
0004405543.tif 000031
【図３１】
0004405543.tif 000032
【図３２】
0004405543.tif 000033
【図３３】
0004405543.tif 000034
【図３４】
0004405543.tif 000035
【図３５】
0004405543.tif 000036
【図３６】
0004405543.tif 000037
【図３７】
0004405543.tif 000038
【図３８】
0004405543.tif 000039
【図３９】
0004405543.tif 000040
【図４０】
0004405543.tif 000041
【図４１】
0004405543.tif 000042
【図４２】
0004405543.tif 000043
【図４３】
0004405543.tif 000044
【図４４】
0004405543.tif 000045
【図４５】
0004405543.tif 000046
【図４６】
0004405543.tif 000047
【図４７Ａ】
0004405543.tif 000048
【図４７Ｂ】
0004405543.tif 000049
【図４８】
0004405543.tif 000050
【図４９】
0004405543.tif 000051
【図５０】
0004405543.tif 000052
【図５１Ａ】
0004405543.tif 000053
【図５１Ｂ】
0004405543.tif 000054
【図５２】
0004405543.tif 000055
【図５３】
0004405543.tif 000056
【図５４Ａ】
0004405543.tif 000057
【図５４Ｂ】
0004405543.tif 000058
【図５５】
0004405543.tif 000059
【図５６】
0004405543.tif 000060
【図５７Ａ】
0004405543.tif 000061
【図５７Ｂ】
0004405543.tif 000062
【図５８】
0004405543.tif 000063
【図５９】
0004405543.tif 000064
【図６０Ａ】
0004405543.tif 000065
【図６０Ｂ】
0004405543.tif 000066
【図６１】
0004405543.tif 000067
【図６２】
0004405543.tif 000068
【図６３】
0004405543.tif 000069
【図６４】
0004405543.tif 000070
【図６５】
0004405543.tif 000071
【図６６】
0004405543.tif 000072